(57)【要約】【課題】宛先受信者に確実に伝言を伝えたり、着信を転送したりすることが可能な通信装置を提供する。【解決手段】少なくとも一つの電子機器と通信するための通信部と、外部からの入力データを受信する受信手段と、入力データを受信させる宛先受信者の個人識別情報を検出する第１の検出手段と、個人識別情報および、当該個人識別情報により識別される人が存在する場所を検出する第２の検出手段と、制御手段とを備える。制御手段は、第１の検出手段において検出された宛先受信者の個人識別情報と、第２の検出手段において検出された個人識別情報とが一致したとき、第２の検出手段において検出された場所に配置されている電子機器に対して、受信手段で受信した入力データを通信部により送信するように制御する。【選択図】　　　　図１
2004104454.tif 000002
【特許請求の範囲】
【請求項１】
少なくとも一つの電子機器と通信するための通信部と、
外部からの入力データを受信する受信手段と、
前記入力データを受信させる宛先受信者の個人識別情報を検出する第１の検出手段と、
前記個人識別情報および、当該個人識別情報により識別される人が存在する場所を検出する第２の検出手段と、
前記第１の検出手段において検出された前記宛先受信者の個人識別情報と、前記第２の検出手段において検出された前記個人識別情報とが一致したとき、前記第２の検出手段において検出された場所に配置されている電子機器に対して、前記受信手段で受信した前記入力データを前記通信部により送信するように制御する制御手段と、
を備えることを特徴とする通信装置。
【請求項２】
請求項１に記載の通信装置において、
前記制御手段は、前記第１の検出手段において検出された前記個人識別情報と一致する個人識別情報が前記第２の検出手段において検出されないときに、前記受信手段で受信した前記入力データを記憶手段に一時記憶する
ことを特徴とする通信装置。
【請求項３】
請求項１に記載の通信装置において、
前記通信部は、複数個の電子機器と通信が可能である
ことを特徴とする通信装置。
【請求項４】
請求項３に記載の通信装置において、
前記入力データは、画像データである
ことを特徴とする通信装置。
【請求項５】
請求項３に記載の通信装置において、
前記入力データは、音声データである
ことを特徴とする通信装置。
【請求項６】
１または複数の場所のそれぞれに配置された電子機器と、
前記１または複数の場所のそれぞれに配置された電子機器と接続され、前記電子機器と通信可能な通信装置と、
前記１または複数の場所のそれぞれに設けられ、それぞれの場所にいる人の個人識別情報を、前記通信装置に送信する個人識別情報送信手段と、
を備え、
前記通信装置は、
前記電子機器と通信する通信部と、
外部からの入力データを受信する受信手段と、
前記入力データを受信させる宛先受信者の個人識別情報を検出する第１の検出手段と、
前記１または複数の場所のそれぞれに設けられた前記個人識別情報送信手段からの前記個人識別情報を受信して検出すると共に、受信した前記個人識別情報が、どの場所からのものかを検出する第２の検出手段と、
前記第１の検出手段において検出された前記宛先受信者の個人識別情報と、前記第２の検出手段において検出された前記個人識別情報とが一致したとき、前記第２の検出手段において検出された場所に配置されている電子機器に対して、前記受信手段で受信した前記入力データを前記通信部により送信するように制御する制御手段と、
を備えることを特徴とする通信システム。
【請求項７】
請求項６に記載の通信システムにおいて、
前記通信装置の前記制御手段は、前記第１の検出手段において検出された前記個人識別情報と一致する個人識別情報が前記第２の検出手段において検出されないときに、前記受信手段で受信した前記入力データを記憶手段に一時記憶する
ことを特徴とする通信システム。
【請求項８】
請求項６に記載の通信システムにおいて、
前記通信装置の前記制御手段は、前記第１の検出手段において検出された前記宛先受信者の個人識別情報と、前記第２の検出手段において検出された前記個人識別情報とが一致しないとき、他の個人識別情報に対応する前記宛先受信者以外の者の居場所に配置されている電子機器に対して、前記受信手段で受信した前記入力データを前記通信部により送信するように制御する
ことを特徴とする通信システム。
【請求項９】
請求項６に記載の通信システムにおいて、
前記入力データは、画像データである
ことを特徴とする通信システム。
【請求項１０】
請求項６に記載の通信システムにおいて、
前記入力データは、オーディオデータである
ことを特徴とする通信システム。
【請求項１１】
請求項６に記載の通信システムにおいて、
前記個人識別情報送信手段は、前記個人識別情報が記憶されたＩＣカードと通信を行なって前記個人識別情報を前記ＩＣカードから取得する受信手段と、前記通信手段により取得した前記個人識別情報を前記通信装置に送信する送信手段を備えてなる
ことを特徴とする通信システム。
【請求項１２】
請求項１１に記載の通信システムにおいて、
前記個人識別情報送信手段は、前記電子機器に設けられている
ことを特徴とする通信システム。
【請求項１３】
請求項１１に記載の通信システムにおいて、
前記個人識別情報送信手段の前記受信手段は、前記電子機器のリモコン送信機に設けられ、前記個人識別情報送信手段の前記送信手段は、リモコン送信機が、リモコン信号に前記個人識別情報を含めて送信する手段と、前記電子機器が前記通信手段に受信した前記個人識別情報を前記通信装置に転送する手段とを含む
ことを特徴とする通信システム。
【請求項１４】
外部からの入力データを受信する受信工程と、
前記入力データを受信させる宛先受信者の個人識別情報を検出する第１の検出工程と、
それぞれの場所に設けられた個人識別情報送信手段から、当該場所にいる人の個人識別情報を通信装置に送信する個人識別情報送信工程と、
前記通信装置において、前記個人識別情報送信手段からの前記個人識別情報を受信すると共に、当該個人識別情報により識別される人が存在する場所を検出する第２の検出工程と、
前記通信装置において、前記第１の検出工程において検出された前記宛先受信者の個人識別情報と、前記第２の検出工程において検出された前記個人識別情報とが一致したとき、前記第２の検出工程において検出された場所に配置されている電子機器に対して、前記受信工程で受信した前記入力データを前記通信装置に送信するように制御する制御工程と、
を備える通信方法。
【請求項１５】
請求項１４に記載の通信方法において、
前記制御工程においては、前記第１の検出手段において検出された前記個人識別情報と一致する個人識別情報が前記第２の検出手段において検出されないときに、前記受信手段で受信した前記入力データを記憶手段に一時記憶する
ことを特徴とする通信方法。
【発明の詳細な説明】
【０００１】
【発明の属する技術分野】
この発明は、例えばホームネットワークシステムなどの通信システム、およびこの通信システムに用いる通信装置および通信方法に関する。
【０００２】
【従来の技術】
従来から、例えば電話装置など、伝言を残すことができるような電子機器が知られている。この種の電子機器は、一般的には特定の部屋に設置されていて、利用者は、当該部屋に入って当該電子機器を操作することにより、伝言を聞くようにする（例えば、特許文献１参照）。
【０００３】
また、従来は、電話の着信があった場合には、誰かが当該着信に応答して、相手が誰と通話したいかを尋ね、通話したい受信者が分かったら、その人を呼ぶ、あるいは着信をその人の内線番号に転送するなどの方策を行なっている。
【０００４】
【特許文献１】
特開平６−７８０４９号公報。
【０００５】
【発明が解決しようとする課題】
しかしながら、記録されている伝言を聞くために、当該伝言が記録されている電子機器が設置されている部屋にわざわざ出向くのは面倒であり、ややもすると、記録された伝言を聞き逃す場合がある。しかも、従来の場合には、特定の相手に対してのみ伝言を伝えたい場合に、それができなかった。
【０００６】
また、電話の着信があった場合に、相手が通話したい受信者の内線番号に当該着信を転送しても、必ずしも、その内線番号の場所に、前記相手が通話したい受信者がいるとは限らないという不都合がある。
【０００７】
この発明は、以上の問題点にかんがみ、指定された相手に確実に伝言を伝えたり、着信を転送したりすることが可能な通信システム、通信装置および通信方法を提供することを目的とする。
【０００８】
【課題を解決するための手段】
上記課題を解決するために、この発明による通信装置は、
少なくとも一つの電子機器と通信するための通信部と、
外部からの入力データを受信する受信手段と、
前記入力データを受信させる宛先受信者の個人識別情報を検出する第１の検出手段と、
前記個人識別情報および、当該個人識別情報により識別される人が存在する場所を検出する第２の検出手段と、
前記第１の検出手段において検出された前記宛先受信者の個人識別情報と、前記第２の検出手段において検出された前記個人識別情報とが一致したとき、前記第２の検出手段において検出された場所に配置されている電子機器に対して、前記受信手段で受信した前記入力データを前記通信部により送信するように制御する制御手段と、
を備えることを特徴とする。
【０００９】
上述の構成のこの発明によれば、第１の検出手段で、入力データを受信させる宛先受信者の個人識別情報を検出する。また、第２の検出手段によって、個人識別情報により識別される人が存在する場所、例えばいずれの部屋かを検出する。そして、制御手段では、第１の検出手段において検出された宛先受信者の個人識別情報と、第２の検出手段において検出された個人識別情報とを比較して、一致したときに、第２の検出手段において検出された場所に配置されている電子機器に対して、受信手段で受信した入力データを送信するように制御する。
【００１０】
したがって、入力データが、例えば伝言情報であるとき、伝言情報の宛先の人が現れた部屋に、その伝言情報が転送されて、伝言再生することができるようになる。つまり、伝言情報が記録された装置が設置されている場所に来なくても、伝言情報が確実に相手に伝わる。しかも、この発明においては、伝言を伝えたい相手にのみ、伝言情報が伝わるという効果もある。
【００１１】
【発明の実施の形態】
以下、この発明による通信システムの実施の形態を、図を参照しながら説明する。以下に説明する実施形態の通信システムは、ホームネットワークシステムの構成とした場合である。
【００１２】
この実施形態では、家の複数の部屋に、テレビジョンセット（以下、ＴＶセットという）やパーソナルコンピュータなどの電子機器が設けられる。また、一つの部屋に設けられた監視制御装置により、それらの電子機器が制御されると共に、監視制御装置とそれらの電子機器との間で通信が可能となるように構成されている。監視制御装置は、この発明の通信装置の一例を構成するものである。
【００１３】
この実施形態の監視制御装置は、例えばインターネットを通じて画像データと音声データとを相手装置との間で送受信することにより、ビジュアルコミュニケーション（いわゆるテレビ電話等）の機能を備える。このとき、監視制御装置は、例えばＴＶセットと協働することにより、相手からの画像データと音声データの再生を行なう。
【００１４】
また、この実施形態では、家族のそれぞれが他の家族の誰かを指定して監視制御装置３に伝言を記録しておくことできるように構成されている。
【００１５】
監視制御装置３は、後述するように、家族の帰宅、外出を監視しており、帰宅してきた家族に対して、伝言が残されているときには、その帰宅した家族が、家のどこかの部屋に入ったときに、その部屋にある、例えばＴＶセットに伝言情報を転送して、当該帰宅した家族に伝言を確実に伝えるようにしている。
【００１６】
また、この実施の形態では、監視制御装置３は、在宅中の家族が、どの部屋に在室しているかを監視し、その監視結果を在室管理情報としてメモリに記憶している。そして、例えばテレビ電話の着信があったときには、その着信を受けるべき家族が在室している部屋を判別し、その着信を確実に当該着信を受けるべき家族に伝えるように制御するものである。
【００１７】
この場合に、各部屋には、当該部屋への少なくとも入室者の個人識別情報を、監視制御装置に送る個人識別情報送信手段が設けられる。
【００１８】
監視制御装置は、各部屋からの個人識別情報送信手段からの個人識別情報の受信を監視して、各部屋に誰が入ったかを管理する。つまり、監視制御装置は、各部屋の在室者がどのような状況になっているかを在室管理情報として保持し、その在室管理情報に基づいて、前述したような伝言情報の伝達やテレビ電話の着信の管理制御などを行なう。
【００１９】
［通信システムの第１の実施形態の概要］
図１および図２は、第１の実施形態の場合におけるホームネットワークシステムの構成例を説明するための図である。図１は、ネットワーク構成を示す図、図２は、家の間取りの例と共に、ネットワーク構成機器の配置を示す図である。
【００２０】
この例では、４つの部屋Ａ，Ｂ，Ｃ，Ｄのそれぞれには、電子機器の例として、ＴＶセット１Ａ，１Ｂ，１Ｃ，１Ｄが設置される。また、部屋Ｂ、部屋Ｃには、パーソナルコンピュータ２Ｂ，２Ｃ（パーソナルコンピュータは図面上ではＰＣと記述）が設置される。そして、この例では、例えばリビングルームである部屋Ａには、監視制御装置３が設置される。そして、監視制御装置３と、部屋ＡのＴＶセット２Ａとは直接的に接続されている。
【００２１】
また、監視制御装置３と、部屋Ｂ，Ｃ，Ｄの電子機器であるＴＶセット２Ｂ，２Ｃ，２Ｄおよびパーソナルコンピュータ３Ｂ，３Ｃとは、この例では、ルータ４を介して通信ができるように接続されている。部屋ＡのＴＶセット２Ａもルータ４を通じて監視制御装置３に接続するようにしても勿論よい。また、ルータ４は、監視制御装置３内に内蔵されていてもよい。
【００２２】
また、ルータ４は、ＡＤＳＬ（Ａｓｙｍｍｅｔｒｉｃ　Ｄｉｇｉｔａｌ　Ｓｕｂｓｃｒｉｂｅｒ　Ｌｉｎｅ）モデム５を通じて電話回線に接続されている。
【００２３】
そして、この実施形態では、各部屋Ａ，Ｂ，Ｃ，Ｄには、個人識別情報送信手段の一例として、監視制御装置３に接続されているＩＤ送受信部６Ａ，６Ｂ，６Ｃ，６Ｄが設けられる。このＩＤ送受信部６Ａ，６Ｂ，６Ｃ，６Ｄのそれぞれは、家族の各々が所持するＩＣカード（個人カード）１０との通信を行って、個人識別情報を取得し、取得した個人識別情報を、監視制御装置３に送信する。
【００２４】
個人カード１０は、制御用ＩＣ（Ｉｎｔｅｇｒａｔｅｄ　Ｃｉｒｃｕｉｔ）が埋め込まれたカードであって、制御用ＩＣ内には、少なくとも自分の個人識別情報（以下、個人ＩＤという）が記憶されるメモリが設けられている。このメモリには、後述する個人情報が記憶されていてもよい。
【００２５】
そして、この例では、個人カード１０の制御用ＩＣとＩＤ送受信部６Ａ，６Ｂ，６Ｃ，６Ｄのそれぞれと電磁誘導や電波などを用いた非接触による通信が可能とされている。この例では、後述するように、ＩＤ送受信部６Ａ，６Ｂ，６Ｃ，６Ｄのそれぞれと個人カード１０との通信は、電磁誘導によって行なわれるようにされている。
【００２６】
また、この実施形態では、玄関ドア７には、ドアロック装置８が設けられている。この例では、ドアロック装置８は、ＩＤ送受信部６Ａ〜６Ｄと同様にして個人カード１０と通信を行ない、その通信に基づいてドア７の施錠、開錠を制御するようにする。
【００２７】
また、この例では、ドアロック装置８は、監視制御装置３に通信可能に接続されており、ＩＤ送受信部６Ａ，６Ｂ，６Ｃ，６Ｄと同様に、個人カード１０との通信により個人カード１０から取得した個人ＩＤを、監視制御装置３に送信する機能も備える。
【００２８】
玄関ドア７の施錠、開錠を制御するための鍵情報は、当該家に住む住人の全員に共通の一つとして、各人が、その共通鍵情報を個人カード１０のメモリ内に格納して所持するようにすることもできる。その場合には、ドアロック装置８には、当該共通鍵情報を登録しておく。そして、ドアロック装置８は、通信により、個人カード１０から、その共通鍵情報を受信して認証を行ない、あるいは、受信した共通鍵情報を認証を行なうため監視制御装置３に転送し、当該認証を行なう装置からの認証結果を受けて、ドアの施錠、あるいは開錠を制御するようにすることができる。
【００２９】
しかし、この例では、ドアロック装置８に対する鍵情報としては、このような共通鍵情報を用いるのではなく、さらに進んで、当該家に住む家族の各々の玄関ドア７からの入退出を管理することができるようにするため、当該家に住む家族の各々に対応する個人ＩＤを用いるようにする。
【００３０】
このため、鍵情報の認証を行なう装置には、予め、それら当該家族全員の個人ＩＤを登録しておく。鍵情報の認証を行なう装置は、ドアロック装置８自身でもよいし、あるいは監視制御装置３でもよい。さらには、ドアロック装置８とは別体の認証装置を特に設けてもよい。
【００３１】
そして、ドアロック装置８には、通信により、個人カード１０から、各個人ＩＤを受信する受信手段を設ける。ドアロック装置８は、自装置で認証を行ない、あるいは、受信した鍵情報としての個人ＩＤを認証を行なう装置に転送し、当該認証を行なう装置からの認証結果を受けて、玄関ドア７の施錠、あるいは開錠を制御するようにする。
【００３２】
このように個人カード１０からＩＤ送受信部６Ａ，６Ｂ，６Ｃ，６Ｄあるいはドアロック装置８を通じて取得した個人ＩＤにより、監視制御装置３は、当該家に住む家族のそれぞれについて、玄関ドア７からの入退出（在宅または不在）と、在宅の場合にどの部屋にいるかの管理を行なうことができる。
【００３３】
［監視制御装置３の外観の説明］
図３は、室内に設けられるセキュリティシステム用の監視制御装置３の構成を説明するための外観図であり、この監視制御装置３は、例えば赤外線や電波を用いたリモートコマンダ（リモコン送信機）５０によりリモコン制御可能の構成とされている。
【００３４】
監視制御装置３の筐体３１には、ビデオカメラ３２が組み込まれている。このビデオカメラ３２は、この例では、実線位置の横置き状態と、点線位置の縦置き状態とのいずれの状態をも取れる機構により、筐体３１に対して取り付けられている。このビデオカメラ３２は、伝言記録のときや、テレビ電話機能がオンとされたときに、監視制御装置３からの指示により撮影を開始するようにされている。
【００３５】
また、ビデオカメラ３２による撮影方向は、ビデオカメラが首振り方向に調整可能な構造とされているので、その調整により変えられるようにされている。したがって、使用者は、撮影の開始に先立ち、ビデオカメラ３２による撮影方向の調整を行なっておくことができる。
【００３６】
そして、筐体３１には、ビデオカメラ３２による撮影対象部を明るく照明するための撮影用ランプ３３が設けられている。筐体３１には、また、マイクロホン３４とスピーカ３５とが設けられている。マイクロホン３４は、伝言の音声メッセージや、テレビ電話での会話音声を収音するためのものである。スピーカ３５は、伝言音声メッセージや、会話音声を放音するためなどに用いられる。
【００３７】
筐体３１には、また、リード／ライト部３６が設けられる。このリード／ライト部３６は、前述した電子鍵情報としての個人ＩＤの登録の際に用いられるほか、この例では、伝言の記録、再生の際にも用いられる。すなわち、この例においては、監視制御装置３は、伝言装置の役割もできるように構成されており、リード／ライト部３６により、電子鍵カードを読み取らせた後、後述するようにリモートコマンダ５０の伝言記録ボタンを押すと、設定した相手（家族の誰か）に伝言が残すことができ、また、リモートコマンダ５０の伝言再生ボタンを押すと、自分宛ての伝言を再生することができるようになっている。
【００３８】
この伝言が記録されているかどうかなどを知らせるため等の用途として、筐体３１には、複数個のＬＥＤ（Ｌｉｇｈｔ　Ｅｍｉｔｔｉｎｇ　Ｄｉｏｄｅ；発光ダイオード）３７が設けられている。また、筐体３１には、さらに、リモートコマンダ５０からのリモコン信号の受信部３８が設けられる。
【００３９】
また、図３では図示を省略したが、監視制御装置３の背面パネルには、ＴＶセット１のビデオ入力端子や音声入力端子に接続される映像出力端子や音声出力端子が設けられている。そして、監視制御装置３には、ＴＶセット１Ａの電源のオン・オフなどを制御するための、例えば赤外線などを用いるリモコン送信部３９が設けられている。
【００４０】
さらに、監視制御装置３は、各部屋Ａ，Ｂ，Ｃ，ＤのＩＤ送受信部６Ａ，６Ｂ，６Ｃ，６Ｄと通信を行なうためのＬＡＮインターフェースを備えている。また、図１および図２で説明したように、監視制御装置３は、電話回線およびインターネットを通じて外部の人とテレビ電話ができるように構成されている。
【００４１】
［監視制御装置の構成例］
監視制御装置３の内部構成および監視制御装置３と周辺機器との接続状態の構成例を図４に示す。
【００４２】
監視制御装置３は、マイクロコンピュータの構成を備えており、ＣＰＵ（Ｃｅｎｔｒａｌ　Ｐｒｏｃｅｓｓｉｎｇ　Ｕｎｉｔ）１０１に対して、システムバス１０２を介して、プログラムやデータが記録されているＲＯＭ（Ｒｅａｄ　Ｏｎｌｙ　Ｍｅｍｏｒｙ）１０３と、ワークエリア用ＲＡＭ（Ｒａｎｄｏｍ　Ａｃｃｅｓｓ　Ｍｅｍｏｒｙ）１０４と、個人カード１０を所有する家族全員の個人ＩＤおよび個人情報が記憶されている家族情報メモリ１０５と、ドアロック装置８と通信を行なうためのドアロック装置通信インターフェース１０６と、ＩＤ送受信部６Ａ，６Ｂ，６Ｃ，６Ｄからの個人ＩＤの情報を受け取るためのＬＡＮインターフェース１０７と、ビデオカメラ３２の撮影画像およびマイクロホン３４で収音した音声などを記憶するための画像・音声メモリ１０８と、ルータ４が接続される通信インターフェース１０９とが接続されている。ＬＡＮインターフェース１０７はスイッチングハブの機能を備える。
【００４３】
また、システムバス１０２には、カメラインターフェース１１０を介してビデオカメラ３２が、インターフェース１１１を介して撮影用ランプ３３の照明機構３３０が、インターフェース１１２を介して時計回路１１３が、インターフェース１１４を介してリード／ライト部３６が、インターフェース１１５を介してリモコン受信部３８が、インターフェース１１６を介してリモコン送信部３９が、音声入力インターフェース１１８を介してマイクロホン３４が、インターフェース１１９を介してＬＥＤ３７が、音声出力インターフェース１１９を介してスピーカ３５が、それぞれ接続されている。さらに、システムバス１０２は、ビデオ信号出力端子からなるテレビインターフェース１１７を介して部屋ＡのＴＶセット１Ａに接続されている。
【００４４】
また、システムバス１０２には、制御対象電子機器情報メモリ１２１が接続されている。この制御対象電子機器情報メモリ１２１には、制御対象の電子機器として、各部屋Ａ，Ｂ，Ｃ，Ｄのそれぞれにどのような電子機器が配置されているかの情報が記憶されている。電子機器情報としては、各電子機器の識別情報（機器ＩＤ）と、その電子機器が何であるかの情報と、その電子機器が備える機能などの情報からなる。
【００４５】
ドアロック装置通信インターフェース１０６は、後述するように、ドアロック装置８から送られてくる個人ＩＤの情報を受けるためのものである。
【００４６】
時計回路１０７は、現在時刻を刻んで時刻情報を、インターフェース１１７を通じてシステムバス１０２に送出すると共に、年月日を示すカレンダー情報もインターフェース１１７を通じてシステムバス１０２に送出する。監視制御装置３は、時計回路１０７からの情報により、個人ＩＤを取得した現在時刻等を検知する。
【００４７】
画像・音声メモリ１０８には、伝言として記録されている画像情報および音声情報が記憶される。また、監視制御装置３において、テレビ電話の着信時に留守番記録モードとされたときに記録された画像情報および音声情報も、この画像・音声メモリ１０８に記憶される。
【００４８】
また、この実施形態では、画像・音声メモリ１０８には、家族構成員の各々についてのテレビ電話用の通話先リストの情報が記憶されている。この通話先リストの情報には、通話先のテレビ電話用のアドレスと共に、いわゆるサムネール形式で表示するための通話先リストの画像情報が含まれる。この例の場合には、テレビ電話用のアドレスには、個人ＩＤが含まれ、特定の個人間でテレビ電話による通話ができるようにされている。
【００４９】
なお、テレビ電話用のアドレスには、個人ＩＤを含めずに、予め監視制御装置３に、個人ＩＤと、家族構成員の各々のテレビ電話用のアドレスとを対応させたテーブル情報を記憶しておき、このテーブル情報を参照することにより、個人ＩＤとテレビ電話用のアドレスとの対応を判別して、特定の個人間でテレビ電話による通話ができるようにすることもできる。
【００５０】
通信インターフェース１０９は、この例では、ルータ４に接続されている。ルータ４には、前述したように、各部屋Ａ，Ｂ，Ｃ，Ｄに配置されている電子機器が接続されていると共に、ＡＤＳＬモデム５を通じて電話回線が接続されている。
【００５１】
家族情報メモリ１０５は、例えばＥＥＰＲＯＭ（Ｅｌｅｃｔｒｉｃａｌｌｙ　Ｅｒａｓａｂｌｅ　Ｐｒｏｇｒａｍｍａｂｌｅ　ＲＯＭ）で構成される。
【００５２】
家族情報メモリ１０５には、前述したように、家族構成員のそれぞれの個人ＩＤや個人情報から個人プロファイル情報が記憶される。監視制御装置３が玄関ドア１を通じての家族の入退出を管理するための入退出履歴や、現在の在宅者の情報も家族情報メモリ１０５に格納される。
【００５３】
図５に、一人分の個人プロファイル情報の例を示す。図５に示すように、個人プロファイル情報は、個人ＩＤ（個人識別情報）と個人情報とが対応付けられて記憶された情報である。
【００５４】
個人ＩＤは、例えば１２桁の数字からなり、この例では家族に共通の家族識別用の複数桁の数字部分と、個人ごとに固有の個人識別用の複数桁の数字部分を含む。個人ＩＤは、このようなものに限られるものではなく、同じ家族を構成する構成メンバー同士であっても、全く異なる複数桁の、数字、アルファベット、記号などの各種の文字を組み合わせたものを用いることも可能である。
【００５５】
図５の例においては、個人情報としては、パスワード情報、氏名、住所、生年月日、年齢、続柄、登録日、銀行口座番号、所有している車、趣味／嗜好情報、家の玄関８からの入退出履歴情報などが家族情報メモリ１０５に記憶される。
【００５６】
この例の入退出履歴情報には、外出時刻、帰宅時刻が記憶されるほか、外出中であるか、在宅であるかの在／不在フラグが含まれる。この入退出履歴情報は、監視制御装置３が玄関ドア７を通じての家族の入退出を管理するために用いられる。
【００５７】
さらに、この例においては、家族情報メモリ１０５には、その時点における在宅者がどの部屋に存在するかの在室管理情報も格納される。この在室管理情報は、監視制御装置３において、電子機器の制御の際に参照される。
【００５８】
例えば、後述するように、監視制御装置３では、外部からのテレビ電話の着信があったときに、前記在室管理情報を参照して、着信させるべき受信者の在宅状況を判別すると共に、在宅中であって、監視制御装置３が設置されている部屋Ａ以外の部屋にいるときには、テレビ電話の着信を、当該部屋に存在する電子機器に転送することができるように構成されている。
【００５９】
図６は、家族情報メモリ１０５に記憶される在室管理情報テーブルの例である。図６の例は、在宅者の情報として、個人ＩＤのうちの個人識別用の複数桁数字部分が用いられている場合である。図６の例では、簡単のため、個人識別用の複数桁数字部分は、２桁としている。図６の例で、個人識別用の数字が記入されている部屋には、当該数字で識別される人が在室していることを示しており、個人識別用の数字が記入されていない部屋には、在室者が無いことを示している。図６の例では、部屋Ａに父親と子供が在室し、部屋Ｄに母親が在室し、部屋ＢとＣには、誰も在室していない状況を表わしている。
【００６０】
なお、在室管理情報テーブル情報は、家族情報メモリ１０５ではなく、別のメモリに格納するようにしても勿論よい。
【００６１】
［リモートコマンダ５０の説明］
監視制御装置３用のリモートコマンダ５０は、この例においては、図３に示すように、ビジュアルコミュニケーションボタン（以下、ＶＣボタンと略称する）５１と、オフボタン５２と、伝言記録ボタン５３と、伝言再生ボタン５４と、メニューボタン５５と、上下左右の選択を行なう４個のキーとその中央の決定キーとからなるカーソルボタン５６とを備えて構成されている。
【００６２】
メニューボタン５５の操作により選択可能となるメニュー項目としては、この例では、ドアロック装置８の電子鍵情報としての個人ＩＤの登録、ドアロック装置８のドアロック制御モードの設定、その他が、用意されており、それぞれのメニュー項目に対応する処理を実行するアプリケーションプログラムは、監視制御装置３のＲＯＭ１０３に格納されている。
【００６３】
［個人カード１０の構成例］
次に、個人カード１０について説明する。図７は、この実施の形態で用いられる個人カード１０の構成例を説明するための図である。図７（Ａ）は、個人カード１０の表面を示し、この表面には、所有者の氏名と、所定のＩＤ番号が表示されている。
【００６４】
また、図７（Ｂ）は、個人カード１の内部構成例を示しており、この個人カード１０内には、ＩＤ送受信部６Ａ〜６Ｄやドアロック装置８、また、監視制御装置３に設けられるリード／ライト部と通信を行なうための電磁誘導用のアンテナ１１と、制御用ＩＣ１２とが内蔵されている。
【００６５】
制御用ＩＣ１２内には、ＣＰＵやメモリを含み、メモリには、所有者の氏名、個人ＩＤの他、所有者のその他の必要な個人情報、つまり前述した個人プロファイル情報と同様の情報が記憶されている。
【００６６】
また、制御用ＩＣ１２内のメモリに、各所有者が行ったＩＤ送受信部６Ａ〜６Ｄやドアロック装置８との通信の時刻や履歴、各所有者の外出、帰宅の履歴などが書き込まれるようにされている。なお、これらの履歴情報は、監視制御装置３の家族情報メモリ１０５にも記憶されるものである。
【００６７】
［ＩＤ送受信部６Ａ〜６Ｄの構成例］
次に、個人カード１０からの情報を読み取ることにより、家族の各部屋への入室と退室とを検知できるようにするためのＩＤ送受信部６Ａ〜６Ｄの構成例について説明する。
【００６８】
図８は、ＩＤ送受信部６Ａ〜６Ｄの外観を説明するための図であり、図９は、ＩＤ送受信部６Ａ〜６Ｄの構成を説明するためのブロック図である。ＩＤ送受信部６Ａ〜６Ｄは、全て同一の構成を備えるものであるので、図８および図９には、一つのＩＤ送受信部の構成例を示してある。
【００６９】
この例のＩＤ送受信部６Ａ〜６Ｄのそれぞれは、各部屋Ａ，Ｂ，Ｃ，Ｄの照明器具のスイッチパネルを兼用しており、部屋の壁に取り付けられている。そして、個人カード１０をＩＤ送受信部６Ａ〜６Ｄにかざすと、ＩＤ送受信部６Ａ〜６Ｄのそれぞれは、個人カード１０と通信を行ない、個人カード１０から個人ＩＤを取得して、監視制御装置３に送ると共に、照明器具の点灯／消灯することができるように構成されている。
【００７０】
図８に示すように、ＩＤ送受信部６Ａ〜６Ｄのそれぞれは、この例では、壁面に取り付けられるパネル面７１に、個人カード１０と通信を行なうためのリード／ライト部７２と、個人カード１０からのデータの読み取り状態などを使用者に通知するための複数個のＬＥＤ７３が設けられて構成されている。
【００７１】
ＩＤ送受信部６Ａ〜６Ｄのパネル面７１は、この例では、個人カード１０と同様に長方形状とされるが、その大きさは個人カード１０よりも若干大きいものとされ、個人カード１０との通信を信頼性高く行なうことができるようにしている。
【００７２】
ＩＤ送受信部６Ａ〜６Ｄのそれぞれは、図９に示すように、マイクロコンピュータで構成される制御部７０を備える。すなわち、この制御部７０は、ＣＰＵ７０１に対して、システムバス７０２を介して、ＲＯＭ７０３と、ＲＡＭ７０４と、時計回路７０５と、照明制御部７０６と、ＬＥＤ駆動部７０７と、監視制御装置３と通信を行なうためのＬＡＮインターフェース７０８と、リード／ライト部７２が接続されるインターフェース７０９とが接続されている。
【００７３】
リード／ライト部７２は、この例では、電磁誘導の作用により、これにかざされた個人カード１０に記憶されているデータを読み出して、制御部７０に供給したり、また、制御部７０からのデータを個人カード１０に書き込んだりすることができるものである。
【００７４】
また、制御部７０は、インターフェース７０９を通じて、監視制御装置３との間でデータの送受を行なうことができるとともに、ＬＥＤ駆動部７０７を制御することにより、ＬＥＤ７３のそれぞれの点灯、消灯、点滅などを制御することができる。
【００７５】
［ドアロック装置８の構成例］
次に、ドアロック装置８の具体的構成例およびその動作について、詳細に説明する。なお、以下に説明する例では、個人ＩＤが用いられる鍵情報の認証は、ドアロック装置８自身が行なうものとするが、監視制御装置３がドアロック装置８から鍵情報を受け取って認証を行ない、その認証結果をドアロック装置８に送るようにしてもよい。
【００７６】
［ドアロック装置の構成］
図１０（Ａ）および図１０（Ｂ）は、ドアロック装置８の構成例を説明するための図である。図１０（Ａ）は、家の外側から玄関ドア７のドアロック装置８の取り付け部分近傍を見た図である。また、図１０（Ｂ）は、玄関ドア７のドアロック装置８の取り付け部分近傍を、玄関ドア７の端面側から見た図である。
【００７７】
この例のドアロック装置８においては、玄関ドア７の外側（戸外側）には、個人カード１０と通信を行なうための外側リード／ライト部２１ｅｘと、個人カード１０からの鍵情報の認証結果や玄関ドア７の施錠または開錠を視覚的に知らせるための表示素子の例としての外側ＬＥＤ（Ｌｉｇｈｔ　Ｅｍｉｔｔｉｎｇ　Ｄｉｏｄｅ；発光ダイオード）２２ｅｘと、個人カード１０からの鍵情報の認証結果や玄関ドア７の施錠または開錠を音声により知らせるための外側スピーカ２３ｅｘと、外側ドアノブ２４ｅｘとが設けられている。
【００７８】
また、玄関ドア７の内側（屋内側）にも、個人カード１０と通信を行なうための内側リード／ライト部２１ｉｎと、個人カード１０の認証結果や玄関ドア７の施錠または開錠を視覚的に知らせるための表示素子の例としての内側ＬＥＤ２２ｉｎと、個人カードの認証結果や玄関ドア７の施錠または開錠を音声により知らせるための内側スピーカ２３ｉｎと、内側ドアノブ２４ｉｎとが設けられている。
【００７９】
玄関ドア７には、さらに、玄関ドア係止片２５と、ロック片２６と、ドア開閉センサ２７が設けられている。さらに、玄関ドア７の内側には、ドアロック装置８の動作を制御するためのドアロック制御装置２００が設けられており、リード／ライト部２１ｅｘおよび２１ｉｎ、ＬＥＤ２２ｅｘおよび２２ｉｎ、スピーカ２３ｅｘおよび２３ｉｎ、ドア開閉センサ２７および図示を省略したドアロック機構駆動部が、このドアロック制御装置２００に接続されている。
【００８０】
玄関ドア係止片２５は、ドアノブ２４ｅｘあるいはドアノブ２４ｉｎの操作に応じて、玄関ドア７の端面７ａに垂直な方向に弾性的に摺動移動する部材である。この係止片２５は、玄関ドア７が開放された状態では、内部に設けられているバネ部材により、図１０のように突出する状態となる。玄関ドア７を閉めるにつれて、バネ部材の偏倚力に抗して、この係止片２５はドア７内に引っ込むようになるが、玄関ドア７が完全に閉めた状態では、バネ部材の偏倚力によって、玄関ドア７の端面７ａに対向する壁部の面に設けられた凹部に収まるようになり、玄関ドア７を閉めた状態で係止するようにする。
【００８１】
この係止片２５は、後述するオートロックモードでない場合において、玄関ドア７が施錠されていないときにも、玄関ドア７の端面７ａと対向する壁の端面側に設けられる凹部に勘合して、玄関ドア７を、係止するためのものである。
【００８２】
ロック片２６は、ドアロック機構の一部を構成する部材であり、図１０では図示を省略したドアロック機構駆動部によりドアロック機構が駆動されることにより、玄関ドアの端面７ａに垂直な方向に摺動移動して、玄関ドア７を施錠するときには、図１０（Ａ）のように、玄関ドア７の端面７ａから突出する状態に固定され、玄関ドア７を開錠するときには、玄関ドア７の端面７ａから突出しない状態に固定される。
【００８３】
なお、図示は省略したが、玄関ドア７の端面７ａと対向する壁の端面には、このロック片２６が突出した状態のときに嵌合される凹部が形成されており、ロック片２６が当該凹部に嵌合される状態が玄関ドアの施錠状態となる。そして、ロック片２６が玄関ドア７側に引っ込んで、当該凹部に嵌合していないときには、施錠状態が解除されて、開錠状態になる。
【００８４】
玄関ドア開閉センサ２７は、例えば光学式センサが用いられ、玄関ドア７が開けられたときは外部光を検知することにより、それを検知し、玄関ドア７が閉じられたときには、玄関ドア７の端面７ａが、壁の端面と衝合することにより外部光が遮断されることを検知することにより、それを検知して、玄関ドア７の開閉を検知する。
【００８５】
［ドアロック制御装置２００の説明］
次に、ドアロック制御装置２００を中心にしたドアロック装置８の電気的な構成例を図１１に示す。
【００８６】
すなわち、ドアロック制御装置２００は、マイクロコンピュータの構成を備えており、ＣＰＵ２０１に対してシステムバス２０２を介してプログラムやデータが記録されているＲＯＭ２０３と、ワークエリア用ＲＡＭ２０４と、鍵情報となる個人ＩＤが記憶されている家族情報メモリ２２０と、監視制御装置３と通信を行なうための通信インターフェース２２１とが接続されている。
【００８７】
家族情報メモリ２２０には、予め玄関ドア７の開閉を行なう家族のそれぞれが所持する個人カード１０に記憶されている個人ＩＤが、電子鍵情報として登録されて格納されている。また、各家族構成員（または住人）の年齢、性別、続き柄、その他の個人情報も、併せて家族情報メモリ２２０には、格納されている。
【００８８】
また、システムバス２０２には、インターフェース２０５および２０６を介して内側リード／ライト部２１ｉｎおよび外側リード／ライト部２１ｅｘが接続され、また、内側ＬＥＤ駆動部２０７を介して内側ＬＥＤ２２ｉｎが接続され、外側ＬＥＤ駆動部２０８を介して外側ＬＥＤ２２ｅｘが接続され、さらに、音声出力インターフェース２０９を介して内側スピーカ２３ｉｎが接続され、音声インターフェース２１０を介して外側スピーカ２３ｅｘが接続される。
【００８９】
さらに、システムバス２０２には、インターフェース２１１を介してドア開閉センサ２７が接続されると共に、ドアロック機構駆動部２１２を介して、ロック片２６を摺動駆動させるドアロック機構２８が接続される。
【００９０】
リード／ライト部２１ｅｘまたは２１ｉｎは、電磁誘導により、個人カード１０と通信を行なう通信部を構成する。
【００９１】
この例のドアロック制御装置２００は、ドアロック制御モードとして、オートロックモードと、逐次ロックモードとの２通りの制御モードを備えている。
【００９２】
オートロックモードは、ドアロック制御装置２００が、リード／ライト部２１ｅｘ，２１ｉｎを介して個人カードと通信することに基づき玄関ドア７を開錠した後、所定時間後に自動的に玄関ドアを施錠状態にするモードである。オートロックモードにおいては、常に、内側と外側のリード／ライト部２１ｅｘ，２１ｉｎの両方を用いるものとなる。
【００９３】
また、逐次ロックモードは、少なくとも玄関ドア７の外側のリード／ライト部２１ｅｘを通じて個人カードと通信することに基づき玄関ドアの施錠、開錠の状態を、そのときの状態とは逆の状態にするモードである。この逐次ロックモードにおいても、内側と外側のリード／ライト部２１ｅｘ，２１ｉｎの両方を用いることができるが、内側は、別途のマニュアルの施錠手段により施錠するようにした場合には、外側のリード／ライト部２１ｅｘを通じた個人カードとの通信のみにより、玄関ドア７の施錠、開錠動作を行なわせるようにすることができる。この逐次ロックモードは、従来からの一般的な鍵による施錠、開錠の方法に合わせたモードである。
【００９４】
ドアロック装置８のドアロック制御モードをオートロックモードとするか、逐次ロックモードとするかの選択設定は、この例では、例えば、ドアロック装置８を取り付ける際に、作業者により監視制御装置３を通じて行なわれる。
【００９５】
ドアロック装置８がいずれのドアロック制御モードに設定されているかの情報は、ドアロック制御装置２００内の図示を省略した不揮発性メモリに格納されており、ドアロック制御装置２００は、当該不揮発性メモリの記憶情報を参照することにより、自装置のドアロック制御モードが、オートロックモードか、逐次ロックモードかを認識するものである。監視制御装置３を通じたドアロック制御モードの設定動作に関しては、後述する。
【００９６】
なお、ドアロック装置８のドアロック制御モードをオートロックモードとするか、逐次ロックモードとするかの選択設定は、監視制御装置３を通じて行なうのではなく、ドアロック装置８に直接的に行なうようにすることもできる。例えば、予め、ドアロック装置８の出荷時に、いずれのドアロック制御モードにするかの設定をドアロック装置８に行なっておくようにしても良い。また、ドアロック装置８に、ドアロック装置８の設置作業者が操作可能な入力操作手段、例えばディップスイッチ等を設けておき、当該入力操作手段を通じて、ドアロック制御モードの設定を行なうようにしてもよい。
【００９７】
次に、オートロックモードと、逐次ロックモードのそれぞれの場合のドアロック装置２の動作について説明する。以下に説明するフローチャートにおける各ステップＳの動作は、ドアロック制御装置２００のＣＰＵ２０１が主として実行する処理動作である。
【００９８】
［オートロックモード；図１２〜図１５］
オートロックモードのときの動作を、図１２〜図１５のフローチャートを参照しながら説明する。このオートロックモードのときには、玄関ドア７は、定常状態では、施錠状態とされる。そして、個人カード１０が、内側リード／ライト部２１ｉｎまたは外側リード／ライト部２１ｅｘにかざされて通信が両者の間で行なわれ、個人ＩＤについての認証がとれたときには、所定時間のみ玄関ドアが開錠され、所定時間後に、自動的に玄関ドア７は施錠状態に戻されるように、ドアロック制御装置２００により制御されるものである。
【００９９】
ＣＰＵ２０１は、インターフェース２０５，２０６を介して、内側リード／ライト部２１ｉｎおよび外側リード／ライト部２１ｅｘを監視し、個人カード１０がかざされて、個人カード１０と内側リード／ライト部２１ｉｎまたは外側リード／ライト部２１ｅｘとの間で通信が行われるのを待つ（ステップＳ１）。
【０１００】
そして、ステップＳ１において、個人カード１０がかざされて、個人カード１０と通信が行なわれたと判別したときには、ＣＰＵ２０１は、個人ＩＤを含む個人情報を個人カード１０から受信し、例えばＲＡＭ２０４などに一時的に格納する（ステップＳ２）。このとき、ドアロック制御装置２００が備える時計回路（図示を省略）の時刻情報が、個人カード１０に与えられ、制御用ＩＣ内１２のメモリに書き込まれる。また、内側リード／ライト部２１ｉｎまたは外側リード／ライト部２１ｅｘのどちらと通信をしたかの情報として、通信相手のＩＤ等が制御用ＩＣ１２のメモリに書き込まれる。
【０１０１】
次に、ＣＰＵ２０１は、内側リード／ライト部２１ｉｎまたは外側リード／ライト部２１ｅｘのどちらで個人カード１０と通信が行われたかを判別する（ステップＳ３）。その判別結果と、前記の通信の時刻情報とは、家族情報メモリ２２０の、前記個人ＩＤに対応する家人の記録エリアにも書き込まれ、また、監視制御装置３にも、その家族情報メモリ２０５に記憶させるために転送される。
【０１０２】
［内側リード／ライト部２１ｉｎでの通信の場合；図１２〜図１３］
ステップＳ３で、個人カード１０と通信が行われたのが内側リード／ライト部２１ｉｎであると判別したときには、ＣＰＵ２０１は、在宅者が外出する場合であるとして、以下のような処理を行なう。
【０１０３】
ＣＰＵ２０１は、先ず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置８に登録された個人カード１０であるか否かを判別して、当該個人カード１０についての認証を行なう（ステップＳ４）。
【０１０４】
そして、その認証結果を判別し（ステップＳ５）、家族情報メモリ２２０に記憶されている個人ＩＤの中に、個人カード１０から受信した個人ＩＤと一致するものがなくて認証が取れなかったとき（認証ＮＧ）であると判別したときには、ＣＰＵ２０１は、内側ＬＥＤ駆動部２０７を駆動して、内側ＬＥＤ２２ｉｎを赤色で点滅させると共に、内側スピーカ２３ｉｎから警告音を放音して、認証ＮＧであることを個人カード１０の使用者に報知する（ステップＳ６）。そして、ドアロック機構２８は施錠状態のままとして、ステップＳ１に戻る。
【０１０５】
また、ステップＳ５で、家族情報メモリ２２０に記憶されている個人ＩＤの中に、個人カード１０から受信した個人ＩＤと一致するものがあって、認証がＯＫであると判別したときには、ＣＰＵ２０１は、内側ＬＥＤ駆動部２０７を駆動して、内側ＬＥＤ２２ｉｎを緑色で例えば１秒間点灯させ、認証ＯＫであることを個人カード１０の使用者に報知する（ステップＳ７）。このとき、ＣＰＵ２０１により、併せて内側スピーカ２３ｉｎから「認証がとれました」というメッセージを放音させるようにしても良い。
【０１０６】
そして、このとき、認証がＯＫであることから、ＣＰＵ２０１は、ドアロック機構駆動部２１２を駆動制御して、ドアロック機構２８により玄関ドア７を開錠状態にし（ステップＳ８）、内側スピーカ２３ｉｎから、「ドアロックを解除しました」というメッセージを放音させる（ステップＳ９）。このとき、内側ＬＥＤ２２ｉｎを、例えば緑色で点滅させ、ドアロックの解除状態を個人カード１０の使用者に報知するようにしてもよい。
【０１０７】
このとき、ＣＰＵ２０１は、個人カード１０により内側から玄関ドア７が開錠されたことを認識していることに基づき、当該個人カード１０の使用者（在宅者）が外出しようとしていると認識する。
【０１０８】
次に、ＣＰＵ２０１は、ドア開閉センサ２７のセンサ出力をインターフェース２１１を通じて取り込み、玄関ドア７が開けられた否か監視する（ステップＳ１１）。そして、ＣＰＵ２０１は、玄関ドア７が開けられずに所定時間、例えば１０秒経過したかどうかを判別し（ステップＳ１２）、１０秒経過したと判別したときには、玄関ドア７を自動的に施錠状態に戻すようにする（ステップＳ１３）。そして、ＣＰＵ２０１は、内側ＬＥＤ２２ｉｎを緑色で点滅させて、玄関ドア７が施錠状態に戻ったことを報知する（ステップＳ１４）。
【０１０９】
また、ステップＳ１１で、ステップＳ８での開錠後、１０秒以内に玄関ドア７が開かれたと判別したときには、ＣＰＵ２０１は、ステップＳ２で取り込んだ個人ＩＤで示される在宅者が外出をしたと認識して、当該個人ＩＤを含む個人情報を、外出者情報として監視制御装置３に転送する（ステップＳ１５）。
【０１１０】
その後、ＣＰＵ２０１は、ドア開閉センサ２７のセンサ出力を参照して、玄関ドア７が閉じられたことを確認し（ステップＳ１６）、玄関ドア７が閉じられた後、所定時間、例えば３秒経過したことを確認したら（ステップＳ１７）、ドアロック機構駆動部２１２を駆動制御して、ドアロック機構２８により玄関ドア７を施錠状態に復帰させるようにする（ステップＳ１８）。そして、ＣＰＵ２０１は、外側ＬＥＤ２２ｅｘを緑色で点滅させて、玄関ドア７が施錠状態に戻ったことを報知する（ステップＳ１９）。この外側ＬＥＤ２２ｅｘの緑色点滅は、所定時間、例えば１０秒間続けられる。そして、その後、ステップＳ１に戻る。
【０１１１】
［外側リード／ライト部２１ｅｘでの通信の場合；図１４、図１５］
ステップＳ１で、個人カード１０と通信が行われたのが外側リード／ライト部２１ｅｘであると判別したときには、ＣＰＵ２０１は、家人が帰宅した場合あるいはその他の外にいる者の入室要求であるとして、以下のような処理を行なう。
【０１１２】
ＣＰＵ２０１は、まず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置８に登録された電子鍵カードであるか否かを判別して、当該個人カード１０についての認証を行なう（ステップＳ２１）。
【０１１３】
そして、その認証結果を判別し（ステップＳ２２）、家族情報メモリ２２０に記憶されている個人ＩＤの中に、個人カード１０から受信した個人ＩＤと一致するものがなくて認証が取れなかったとき（認証ＮＧ）であると判別したときには、ＣＰＵ２０１は、外側ＬＥＤ駆動部２０８を駆動して、外側ＬＥＤ２２ｅｘを赤色で点滅させると共に、外側スピーカ２３ｅｘから警告音を放音して、認証ＮＧであることを個人カード１０の使用者に報知する（ステップＳ２３）。そして、ドアロック機構２８は施錠状態のままとして、ステップＳ１に戻る。
【０１１４】
また、ステップＳ２２で、家族情報メモリ２２０に記憶されている個人ＩＤの中に、個人カード１０から受信した個人ＩＤと一致するものがあって、認証がＯＫであると判別したときには、ＣＰＵ２０１は、外側ＬＥＤ駆動部２０８を駆動して、外側ＬＥＤ２２ｅｘを緑色で１秒間点灯させ、認証ＯＫであることを個人カード１０の使用者に報知する（ステップＳ２４）。このとき、ＣＰＵ２０１により、併せて外側スピーカ２３ｅｘから「認証がとれました」というメッセージを放音させるようにしても良い。
【０１１５】
そして、このとき、認証がＯＫであることから、ＣＰＵ２０１は、ドアロック機構駆動部２１２を駆動制御して、ドアロック機構２８により玄関ドア７を開錠状態にし（ステップＳ２５）、外側スピーカ２３ｅｘから、「ドアロックを解除しました」というメッセージを放音させる（ステップＳ２６）。このとき、外側ＬＥＤ２２ｅｘを、例えば緑色で点滅させ、ドアロックの解除状態を個人カード１０の使用者に報知するようにしてもよい。
【０１１６】
次に、ＣＰＵ２０１は、ドア開閉センサ２７のセンサ出力をインターフェース２１１を通じて取り込み、玄関ドア７が開けられた否か監視する（ステップＳ２７）。そして、ＣＰＵ２０１は、玄関ドア７が開けられずに所定時間、例えば１０秒経過したかどうかを判別し（ステップＳ２８）、１０秒経過したと判別したときには、玄関ドア７を自動的に施錠状態に戻すようにする（ステップＳ２９）。そして、ＣＰＵ２０１は、外側ＬＥＤ２２ｅｘを緑色で点滅させて、玄関ドア７が施錠状態に戻ったことを報知する（ステップＳ３０）。
【０１１７】
次に、ステップＳ２７で、ステップＳ２５での開錠後、１０秒以内に玄関ドア７が開かれたと判別したときには、ＣＰＵ２０１は、ステップＳ２で取り込んだ個人ＩＤで示される外出者が帰宅したと認識して、当該個人ＩＤを、帰宅者情報として監視制御装置３に転送する（図１５のステップＳ３１）。
【０１１８】
その後、ＣＰＵ２０１は、ドア開閉センサ２７のセンサ出力を参照して、玄関ドア７が閉じられたことを確認し（ステップＳ３２）、玄関ドア７が閉じられた後、所定時間、例えば３秒経過したことを確認したら（ステップＳ３３）、ドアロック機構駆動部２１２を駆動制御して、ドアロック機構２８により玄関ドア７を施錠状態に復帰させるようにする（ステップＳ３４）。そして、ＣＰＵ２０１は、内側ＬＥＤ２２ｉｎを緑色で点滅させて、玄関ドア７が施錠状態に戻ったことを報知する（ステップＳ３５）。そして、ステップＳ１に戻る。
【０１１９】
［逐次ロックモードの説明；図１６〜図１７］
次に、逐次ロックモードのときの動作を、図１６および図１７のフローチャートを参照しながら説明する。この逐次ロックモードのときには、個人カード１０が、内側リード／ライト部２１ｉｎまたは外側リード／ライト部２１ｅｘにかざされることにより通信が両者の間で行なわれ、個人ＩＤについての認証がとれたときには、そのときの玄関ドア７の開錠あるいは施錠の状態とは逆の状態になるように、ドアロック機構２８は、ドアロック制御装置２００により制御されるものである。
【０１２０】
ＣＰＵ２０１は、インターフェース２０５，２０６を介して、内側リード／ライト部２１ｉｎおよび外側リード／ライト部２１ｅｘを監視し、個人カード１０がかざされて、個人カード１０と内側リード／ライト部２１ｉｎまたは外側リード／ライト部２１ｅｘとの間で通信が行われるのを待つ（ステップＳ４１）。
【０１２１】
そして、ステップＳ４１において、個人カード１０がかざされて、個人カード１０と通信が行なわれたと判別したときには、ＣＰＵ２０１は、個人ＩＤを含む個人情報を個人カード１０から受信し、例えばＲＡＭ２０４などに一時的に格納する（ステップＳ４２）。このとき、前述と同様に、個人カード１０には時刻情報等が書き込まれると共に、家族情報メモリ２２０および監視制御装置３の家族情報メモリ２０５への時刻情報等の書き込みが行なわれる。
【０１２２】
内側リード／ライト部２１ｉｎまたは外側リード／ライト部２１ｅｘのどちらで個人カード１０と通信が行われたかを判別する（ステップＳ４３）。
【０１２３】
［内側リード／ライト部２１ｉｎでの通信の場合；図１６］
ステップＳ４３で、個人カード１０と通信が行われたのが内側リード／ライト部２１ｉｎであると判別したときには、ＣＰＵ２０１は、在宅者が外出する場合あるいは玄関ドア７をセキュリティのために施錠する場合であるとして、以下のような処理を行なう。
【０１２４】
ＣＰＵ２０１は、先ず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置８に登録された個人カードであるか否かを判別して、当該個人カード１０についての認証を行なう（ステップＳ４４）。
【０１２５】
そして、その認証結果を判別し（ステップＳ４５）、家族情報メモリ２２０に記憶されている個人ＩＤの中に、個人カード１０から受信した個人ＩＤと一致するものがなくて、認証が取れなかったとき（認証ＮＧ）であると判別したときには、ＣＰＵ２０１は、内側ＬＥＤ駆動部２０７を駆動して、内側ＬＥＤ２２ｉｎを赤色で点滅させると共に、内側スピーカ２３ｉｎから警告音を放音して、認証ＮＧであることを個人カード１０の使用者に報知する（ステップＳ４６）。そして、ドアロック機構２８は、その前の状態のままとして、ステップＳ４１に戻る。
【０１２６】
また、ステップＳ４５で、家族情報メモリ２２０に記憶されている個人ＩＤの中に、個人カード１０から受信した個人ＩＤと一致するものがあって、認証がＯＫであると判別したときには、ＣＰＵ２０１は、内側ＬＥＤ駆動部２０７を駆動して、内側ＬＥＤ２２ｉｎを緑色で１秒間点灯させ、認証ＯＫであることを個人カード１０の使用者に報知する（ステップＳ４７）。このとき、ＣＰＵ２０１により、併せて内側スピーカ２３ｉｎから「認証がとれました」というメッセージを放音させるようにしても良い。
【０１２７】
そして、ＣＰＵ２０１は、現在のドアロック機構２８による玄関ドア７のロック状態は、施錠状態になっているか否か判別する（ステップＳ４８）。このステップＳ４８で、ドアロック機構２８による玄関ドア７のロック状態が、開錠状態であると判別したときには、その逆の状態である施錠状態にするように、ドアロック機構駆動部２１２を駆動制御する（ステップＳ４９）。
【０１２８】
そして、ＣＰＵ２０１は、内側ＬＥＤ２２ｉｎを、例えば緑色で点滅させると共に、内側スピーカ２３ｉｎから、「玄関ドアを施錠しました」というメッセージを放音させ、施錠状態にしたことを個人カード１０の使用者に報知するようにする（ステップＳ５０）。
【０１２９】
そして、ＣＰＵ２０１は、ステップＳ４２で取り込んだ個人ＩＤで示される者が、セキュリティのために施錠をしたと認識して、当該個人ＩＤを含む個人情報を、在宅者情報として監視制御装置３に転送する（ステップＳ５１）。
【０１３０】
また、ステップＳ４８で、現在のドアロック機構２８のロック状態は、施錠状態であると判別したときには、ＣＰＵ２０１は、ドアロック機構駆動部２１２を駆動制御して、ドアロック機構２８を開錠状態にし（ステップＳ５２）、内側ＬＥＤ２２ｉｎを、例えば緑色で点滅させると共に、内側スピーカ２３ｉｎから、「ドアロックを解除しました」というメッセージを放音させる（ステップＳ５３）。
【０１３１】
そして、このときには、ＣＰＵ２０１は、ステップＳ４２で取り込んだ個人ＩＤで示される者が、開錠をして外出をしたと認識して、当該個人ＩＤを含む個人情報を、外出者情報として監視制御装置３に転送する（ステップＳ５４）。
【０１３２】
［外側リード／ライト部２１ｅｘでの通信の場合；図１７］
ステップＳ４３で、個人カード１０と通信が行われたのが外側リード／ライト部２１ｅｘであると判別したときには、ＣＰＵ２０１は、家人が帰宅して開錠する場合あるいは家人が外出のため施錠する場合であるとして、以下のような処理を行なう。
【０１３３】
ＣＰＵ２０１は、まず、家族情報メモリ２２０に記憶されている個人ＩＤと、個人カード１０から受信した個人ＩＤとを比較して、家族情報メモリ２２０に記憶されている個人ＩＤの中に、個人カード１０から受信した個人ＩＤと一致するものがあるかどうかにより、当該個人カード１０がドアロック装置８に登録された個人カードであるか否かを判別して、当該個人カード１０についての認証を行なう（ステップＳ６１）。
【０１３４】
そして、その認証結果を判別し（ステップＳ６２）、家族情報メモリ２２０に記憶されている個人ＩＤの中に、個人カード１０から受信した個人ＩＤと一致するものがなくて、認証が取れなかったとき（認証ＮＧ）であると判別したときには、ＣＰＵ２０１は、外側ＬＥＤ駆動部２０８を駆動して、外側ＬＥＤ２２ｅｘを赤色で点滅させると共に、外側スピーカ２３ｅｘから警告音を放音して、認証ＮＧであることを個人カード１０の使用者に報知する（ステップＳ６３）。そして、ドアロック機構２８は施錠状態のままとして、ステップＳ４１に戻る。
【０１３５】
また、ステップＳ２２で、家族情報メモリ２２０に記憶されている個人ＩＤの中に、個人カード１０から受信した個人ＩＤと一致するものがあって、認証がＯＫであると判別したときには、ＣＰＵ２０１は、外側ＬＥＤ駆動部２０８を駆動して、外側ＬＥＤ２２ｅｘを緑色で１秒間点灯させ、認証ＯＫであることを個人カード１０の使用者に報知する（ステップＳ６４）。このとき、ＣＰＵ２０１により、併せて外側スピーカ２３ｅｘから「認証がとれました」というメッセージを放音させるようにしても良い。
【０１３６】
そして、ＣＰＵ２０１は、現在のドアロック機構２８のロック状態は、施錠状態になっているか否か判別する（ステップＳ６５）。このステップＳ６５で、現在のドアロック機構２８による玄関ドア７のロック状態は、施錠状態であると判別したときには、ＣＰＵ２０１は、ドアロック機構駆動部２１２を駆動制御して、ドアロック機構２８により玄関ドア７を開錠状態にし（ステップＳ６６）、内側ＬＥＤ２２ｉｎを、例えば緑色で点滅させると共に、内側スピーカ２３ｉｎから、「ドアロックを解除しました」というメッセージを放音させる（ステップＳ６７）。
【０１３７】
そして、ＣＰＵ２０１は、ステップＳ４２で取り込んだ個人ＩＤで示される者が、帰宅のため開錠をしたと認識して、当該個人ＩＤを含む個人情報を、帰宅者情報として監視制御装置３に転送する（ステップＳ６８）。
【０１３８】
また、ステップＳ６５で、現在の玄関ドア７のロック状態が開錠状態であると判別したときには、その逆の状態である施錠状態にするように、ドアロック機構駆動部２１２を駆動制御して、ドアロック機構２８により玄関ドア７を施錠状態にする（ステップＳ６９）。
【０１３９】
そして、ＣＰＵ２０１は、内側ＬＥＤ２２ｉｎを、例えば緑色で点滅させると共に、内側スピーカ２３ｉｎから、「玄関ドアを施錠しました」というメッセージを放音させ、施錠状態にしたことを個人カード１０の使用者に報知するようにする（ステップＳ７０）。
【０１４０】
そして、ＣＰＵ２０１は、ステップＳ４２で取り込んだ個人ＩＤで示される者が、外出のために施錠をしたと認識して、当該個人ＩＤを含む個人情報を、外出者情報として監視制御装置３に転送する（ステップＳ７１）。そして、ステップＳ４１に戻る。
【０１４１】
［ＩＤ送受信部の動作］
各部屋Ａ，Ｂ，Ｃ，Ｄに設けられているＩＤ送受信部６Ａ，６Ｂ，６Ｃ，６Ｄの動作を、図１８のフローチャートを参照して説明する。なお、ＩＤ送受信部６Ａ，６Ｂ，６Ｃ，６Ｄのそれぞれは、全く同様の動作をするので、これらＩＤ送受信部６Ａ，６Ｂ，６Ｃ，６Ｄを区別する必要がないときには、ＩＤ送受信部６と記述することとする。
【０１４２】
ＣＰＵ７０１は、インターフェース７０９を介して、リード／ライト部７２を監視し、個人カード１０がかざされて、個人カード１０とリード／ライト部７２との間で通信が行われるのを待つ（ステップＳ８１）。
【０１４３】
そして、ステップＳ８１において、個人カード１０がかざされて、個人カード１０と通信が行なわれたと判別したときには、ＣＰＵ７０１は、照明制御部７０６を制御して、照明器具が消灯状態にあるときには点灯させ、点灯状態にあるときには消灯させる（ステップＳ８２）。
【０１４４】
また、ＣＰＵ７０１は、個人ＩＤを含む個人情報を個人カード１０から受信し、例えばＲＡＭ７０４などに、時計回路７０５からの時刻情報と共に一時的に格納する（ステップＳ８３）。また、時計回路７０５からの時刻情報が、個人カード１０に与えられ、制御用ＩＣ内１２のメモリにも書き込まれる。
【０１４５】
次に、ステップＳ８３で取得した個人ＩＤを、ＩＤ送受信部６の識別情報と共に監視制御装置３に転送する（ステップＳ８４）。この場合、ＩＤ送受信部６の識別情報は、どの部屋のＩＤ送受信部６であるかを示す情報であって、部屋ＩＤに相当する。監視制御装置３は、この部屋ＩＤ付きの個人ＩＤを受信することにより、どの部屋に誰がいるか、あるいは誰がその部屋から出て行ったかを認識することが可能となる。
【０１４６】
なお、この例の場合には、監視制御装置３とＩＤ送受信部６とがＬＡＮにより接続されているので、上述のような部屋ＩＤと共に、個人ＩＤをＩＤ送受信部６Ａ，６Ｂ，６Ｃ，６Ｄから監視制御装置３に送る必要があるが、ＩＤ送受信部６Ａ，６Ｂ，６Ｃ，６Ｄのそれぞれと監視制御装置３とが、別々の通信インターフェースを介して接続されている場合には、どのインターフェースがどの部屋のＩＤ送受信部６と接続されているかを予め設定しておくことにより、部屋ＩＤを付加することを省略することができる。
【０１４７】
［監視制御装置３の動作の説明］
［監視制御装置３における伝言記録および伝言再生；図１９］
前述したように、この例の監視制御装置３は、個人カード１０と、リモートコマンダ５０を用いて、特定の家人を指定して、伝言を記録しておくことができる。伝言が監視制御装置３に記録されているときには、ＬＥＤ３７が点灯あるいは点滅して、その旨を知らせるようにしている。
【０１４８】
そして、監視制御装置３に、伝言が記録されている場合において、帰宅した家人が、自分の個人カード１０を、このリード／ライト部３６により読み取らせ、リモートコマンダ５０により伝言再生を指示すると、記録されている伝言が、その人宛ての伝言である場合には、監視制御装置３は、記録されている伝言を、ＴＶセット１Ａを用いて再生するようにするように構成されている。音声情報は、監視制御装置３のスピーカ３５を通じて再生するようにしてもよい。
【０１４９】
なお、後述するように、この実施形態においては、監視制御装置３では、帰宅した家人に対して伝言が記録されている場合には、帰宅後、最初に入った部屋において、当該帰宅した家人に対して伝言情報を視聴させるようにしている。
【０１５０】
このため、監視制御装置３は、リモートコマンダ５０を通じた伝言再生操作によって、敢えて伝言再生を行なわせるようにする機能を備えるようにする必要はないが、伝言内容を確認するため等の目的で、自分に対する伝言情報をもう一度視聴したい場合があることを考慮して、監視制御装置３には、以下に説明するように、リモートコマンダ５０を用いたユーザに指示に基づく伝言再生機能を設けている。
【０１５１】
図１９は、このリモートコマンダ５０を通じた操作指示による伝言記録および伝言再生のための監視制御装置３の処理を説明するためのフローチャートである。この図１９の各ステップＳの処理は、ＣＰＵ１０１がＲＯＭ１０３に記憶されているプログラムにしたがって実行されるものである。
【０１５２】
すなわち、まず、使用者は、伝言記録または伝言再生をするには、自分の個人カード１０をリード／ライト部３６にかざして、通信を行なうようにする。ＣＰＵ１０１は、リード／ライト部３６で個人カード１０と通信が行なわれたか否か判別し（ステップＳ９１）、通信が行われたと判別すると、個人ＩＤを認識する（ステップＳ９２）。このステップＳ９２では、家族情報メモリ１０５に記憶されている個人ＩＤと、個人カード１０から取得した個人ＩＤとを比較することにより、個人カード１０が登録された家族のものであるか否かの認証をも行なう。なお、図１９では、省略したが、認証の結果、個人ＩＤが一致せず、認証がＮＧであったときには、ステップＳ９３以下の動作は行なわれずに、図１９の処理ルーチンは終了となる。
【０１５３】
次に、ＣＰＵ１０１は、リモートコマンダ５０からのリモコン信号の到来を待ち（ステップＳ９３）、リモコン信号を受信したことを確認したら、そのリモコン信号は、伝言記録ボタン５３の操作によるものか否か判別し（ステップＳ９４）、伝言記録ボタン５３の操作によるものであると判別したときには、伝言記録動作を行なうようにする（ステップＳ１０３）。
【０１５４】
この伝言記録動作においては、ビデオカメラ３２で撮影された伝言者の画像情報をカメラインターフェース１１０を介して取り込み、画像・音声メモリ１０８の伝言記録領域に格納すると共に、マイクロホン３４で収音した伝言音声情報（伝言メッセージ）をインターフェース１１８を通じて取り込み、画像・音声メモリ１０８の伝言記録領域に格納する。このとき、それら画像情報および音声情報は、個人カード１０から読み込んだ個人ＩＤに対応付けられて、当該個人ＩＤと共に画像・音声メモリ１０８に格納される。
【０１５５】
次に、ＣＰＵ１０１は、家族情報メモリ１０５に記憶されている家族の個人ＩＤを参照して、伝言記録をしようとしている操作者以外の伝言相手のリストをＴＶセット１Ａの画面に表示する（ステップＳ１０４）。このとき、ＴＶセット１Ａに電源が投入されていないときには、監視制御装置３は、ＴＶセット１Ａに電源を投入すると共に、監視制御装置３からの信号を受信して表示させるように、ＴＶセット１Ａを入力切り換え制御する。これらのＴＶセット１Ａに対する制御は、リモコン送信部３９を通じたリモコン信号により行なわれる。
【０１５６】
なお、伝言相手のリストの画面は、上述のような入力切り換えによりＴＶセット１Ａの画面に表示するのではなく、例えばスーパーインポーズによりテレビ番組の画像に重ねて表示するようにしてもよい。
【０１５７】
操作者は、この伝言相手のリストから、リモートコマンダ５０のカーソルキー５６を用いて、伝言相手の選択入力を行ない、カーソルキー５６中の中央の決定キーを押す。監視制御装置３のＣＰＵ２０１は、この伝言相手の選択入力を受信して（ステップＳ１０５）、当該伝言相手の情報を、画像・音声メモリ１０８の伝言記録領域の、前記画像情報および伝言音声メッセージに対応させて格納して登録する（ステップＳ１０６）。そして、伝言が記録されたことを報知するために、１個のＬＥＤ３７を点灯させる（ステップＳ１０７）。ＬＥＤ３７は、図３に示したように複数個設けられており、この例では、記録されている伝言の数だけ、点灯するようにされている。
【０１５８】
また、ステップＳ９４において、リモコン信号が伝言記録ボタン５３の操作によるものではないと判別したときには、ＣＰＵ１０１は、伝言再生ボタン５４の操作によるものであるか否か判別する（ステップＳ９５）。
【０１５９】
ステップＳ９５において、伝言再生ボタン５４の操作によるものでないと判別したときには、ＣＰＵ１０１は、当該操作されたボタンに応じた、その他の処理を行なう（ステップＳ９６）。このステップＳ９６におけるその他の処理には、ビジュアルコミュニケーションの発信処理が含まれる。このビジュアルコミュニケーションの発信処理については、後述するように、図２２のフローチャートを用いて説明する。
【０１６０】
一方、ステップＳ９５において、伝言再生ボタン５４の操作によるものであると判別したときには、ＣＰＵ１０１は、ステップＳ２で認識した個人ＩＤを検索子として、画像・音声メモリ１０８の伝言記録領域の記憶内容を検索して、個人カード１０をリード／ライト部３６にかざした操作者宛ての伝言があるか否か判別する（ステップＳ９７）。
【０１６１】
そして、ステップＳ９７において、操作者宛ての伝言が無いと判別したときには、ＣＰＵ２０１は、例えば予めＲＯＭ１０３に用意されている「伝言はありません」の文字情報をＴＶセット１Ａの画面に表示すると共に、ＴＶセット１Ａのスピーカあるいは監視制御装置３のスピーカ３５を通じて音声として放音して、操作者に報知する（ステップＳ９８）。
【０１６２】
また、ステップＳ９７において、操作者宛ての伝言が有ると判別したときには、当該操作者宛ての伝言画像および伝言音声を画像・音声メモリ１０８から読み出して、ＴＶセット１Ａの画面に表示すると共に、ＴＶセット１Ａのスピーカあるいは監視制御装置３のスピーカ３５から放音して伝言再生する（ステップＳ９９）。例えば、伝言情報に画像情報が含まれない場合には、監視制御装置３のスピーカ３５から伝言音声を放音してもよい。
【０１６３】
伝言の再生が終了すると、ＣＰＵ１０１は、ＴＶセット１Ａの画面に伝言を消去するかどうかの問い合わせを表示するので、操作者は、その表示画面に含まれる「ＹＥＳ」、「ＮＯ」のいずれかをリモートコマンダ５０のカーソルキー５６を用いて選択する。ＣＰＵ１０１は、当該操作者の選択入力から、伝言を消去するか否か判別し（ステップＳ１００）、消去すると判別したときには、画像・音声メモリ１０８の対応する伝言の画像・音声情報を消去し（ステップＳ１０１）、点灯しているＬＥＤ３７の一つを消灯する（ステップＳ１０２）。そして、この伝言記録再生処理ルーチンを終了する。
【０１６４】
また、ステップＳ１００で、伝言を消去しないと判別したときには、そのまま、この伝言記録再生処理ルーチンを終了する。
【０１６５】
［監視制御装置３での個人ＩＤ受信時の動作］
次に、個人カード１０と通信を行なったドアロック装置８やＩＤ送受信部６Ａ，６Ｂ，６Ｃ，６Ｄから送られてくる個人ＩＤを取得したときの監視制御装置３の動作を図２０および図２１のフローチャートを参照して説明する。
【０１６６】
ＣＰＵ１０１は、先ず、個人ＩＤを受信したか否か判別する（ステップＳ１１１）。個人ＩＤを受信しなかったときには、その他の処理を行ない（ステップＳ１１２）、その処理後、ステップＳ１１１に戻る。
【０１６７】
ステップＳ１１１で個人ＩＤを受信したと判別したときには、ＣＰＵ１０１は、当該個人ＩＤは、ドアロック装置８から送られてきたものか否か判別する（ステップＳ１１３）。
【０１６８】
ステップＳ１１３で、個人ＩＤがドアロック９から送られてきたものであると判別したときには、当該個人ＩＤは、帰宅情報として送られてきたものであるか否か判別する（ステップＳ１１４）。
【０１６９】
ステップＳ１１４で、個人ＩＤが帰宅情報としてではなく外出情報として送られてきたと判別したときには、ＣＰＵ１０１は、家族情報メモリ１０５中の、当該個人ＩＤと等しい個人ＩＤが含まれる個人プロファイル情報中の入退出履歴情報に、当該個人ＩＤを受け取った時刻と共に、外出を示す情報を書き込んで、入退出履歴情報を更新する（ステップＳ１１５）。その後、ステップＳ１１１に戻る。
【０１７０】
また、ステップＳ１１４で、個人ＩＤが帰宅情報として送られてきたと判別したときには、ＣＰＵ１０１は、家族情報メモリ１０５中の、当該個人ＩＤと等しい個人ＩＤが含まれる個人プロファイル情報中の入退出履歴情報に、当該個人ＩＤを受け取った時刻と共に、帰宅を示す情報を書き込んで、入退出履歴情報を更新する（ステップＳ１１６）。
【０１７１】
次に、ＣＰＵ１０１は、家族情報メモリ１０５中の在室管理情報テーブルを参照し、在宅者が有るか否か判別し（ステップＳ１１７）、在宅者が無いと判別したときには、監視制御装置３の全体を動作状態にする（ステップＳ１１８）。これは、家族の全てが外出して在宅者が無いときには、監視制御装置３は、消費電力削減のため、ＣＰＵ１０１、ＲＯＭ１０３，ＲＡＭ１０４およびドアロック装置８からの情報を受信するインターフェース１０６のみを動作状態にして、他の部分への電源供給は停止するスタンバイ状態にしているので、そのスタンバイ状態から動作状態に移行させるものである。
【０１７２】
次に、監視制御装置３は、各部屋のＩＤ送受信部６Ａ，６Ｂ，６Ｃ，６Ｄを動作状態にする（ステップＳ１１９）。つまり、在宅者なしの状態では、この実施形態では、ＩＤ送受信部６Ａ，６Ｂ，６Ｃ，６Ｄは動作不要であるとして、スタンバイ状態にして、電力消費の削減を図っているので、最初の帰宅者を検知した時点で、これら各部屋のＩＤ送受信部６Ａ，６Ｂ，６Ｃ，６Ｄを動作状態にするものである。そして、それらＩＤ送受信部６Ａ，６Ｂ，６Ｃ，６Ｄのいずれかからの個人ＩＤの到来を待つ（ステップＳ１２０）。このとき、ＩＤ送受信部６Ａ，６Ｂ，６Ｃ，６Ｄからは、個人ＩＤと共に、それぞれのＩＤ送受信部の識別情報、つまり部屋ＩＤも送られてくるのは前述した通りである。
【０１７３】
そして、ステップＳ１２０で、ＩＤ送受信部６Ａ，６Ｂ，６Ｃ，６Ｄのいずれかからの個人ＩＤの到来を検知すると、ＣＰＵ１０１は、帰宅者がいずれかの部屋に入ったと認識して、帰宅者を確認し（ステップＳ１２１）、個人ＩＤと共に送られてくる部屋ＩＤから、部屋Ａ，Ｂ，Ｃ，Ｄのいずれに入室したかを判別し、家族情報メモリ１０５の在室管理情報テーブルに、誰がどの部屋に入ったかを書き込んで、在室管理情報テーブルを更新する（図２１のステップＳ１３１）。
【０１７４】
このとき、ＣＰＵ１０１は、ＩＤ送受信部から送られてくる情報に時刻情報が含まれる場合には、その時刻情報により、入室時刻を判別し、在室管理情報テーブルに記憶し、また、履歴情報として記憶する。なお、ＩＤ送受信部からの情報に時刻情報が含まれていなくても、ＣＰＵ１０１は、ＩＤ送受信部から個人ＩＤ等を受け取った時刻を時計回路１０７の時刻情報により知ることができるので、その時刻情報を入室時刻として用いるようにすることもできる。
【０１７５】
次に、ＣＰＵ１０１は、画像・音声メモリ１０８に記憶されている全ての伝言情報に含まれる伝言の宛先の個人ＩＤを検出し（ステップＳ１３２）、検出した伝言の宛先の個人ＩＤの中に、ステップＳ１２０で受信した帰宅者の個人ＩＤと一致するものがあるかどうかを判別して、帰宅者宛ての伝言があるか否か判別する（ステップＳ１３３）。
【０１７６】
そして、ステップＳ１３３で帰宅者宛ての伝言が無いと判別したときには、ＣＰＵ１０１は、ステップＳ１１１に戻って、個人ＩＤの受信を監視する。
【０１７７】
また、ステップＳ１３３で、ステップＳ１３２で検出した伝言の宛先の個人ＩＤの中に、ステップＳ１２０で受信した帰宅者の個人ＩＤと一致するものがあることを検知して帰宅者宛ての伝言があると判別したときには、ＣＰＵ１０１は、帰宅者は、部屋Ａに在室するか、他の部屋に在室するかを判別する（ステップＳ１３４）。
【０１７８】
ステップＳ１３４において、帰宅者が部屋Ａに在室すると判別したときには、ＣＰＵ１０１は、前述したリモートコマンダ５０で伝言再生ボタンが押されたときと同様にして、伝言再生動作を行なう（ステップＳ１３５）。すなわち、当該帰宅者宛ての伝言画像および伝言音声を画像・音声メモリ１０８から読み出して、ＴＶセット１Ａの画面に表示すると共に、ＴＶセット１Ａのスピーカあるいは監視制御装置３のスピーカ３５から放音して伝言再生する。
【０１７９】
そして、伝言の再生が終了すると、ＣＰＵ１０１は、ＴＶセット１Ａの画面に伝言を消去するかどうかの問い合わせを表示するので、操作者は、その表示画面に含まれる「ＹＥＳ」、「ＮＯ」のいずれかをリモートコマンダ５０のカーソルキー５６を用いて選択する。
【０１８０】
ＣＰＵ１０１は、当該操作者の選択入力から、伝言を消去するか否か判別し（ステップＳ１３６）、消去すると判別したときには、画像・音声メモリ１０８の対応する伝言の画像・音声情報を消去し（ステップＳ１３７）、点灯しているＬＥＤ３７の内の対応するものを消灯する（ステップＳ１３８）。そして、ステップＳ１１１に戻り、個人ＩＤの受信を監視する。
【０１８１】
また、ステップＳ１３４で帰宅者が部屋Ａ以外に在室すると判別したときには、画像・音声メモリ１０８から、対応する伝言の画像・音声情報を読み出し、読み出した伝言の画像・音声情報を、帰宅者が在室する部屋のＴＶセットに転送して、伝言を再生させる（ステップＳ１３９）。
【０１８２】
この場合に、当該帰宅者が在室する部屋のＴＶセットの電源がオフであったときには、ＣＰＵ１０１は、当該ＴＶセットの電源をオンにすると共に、監視制御装置３からの画像・音声情報を当該ＴＶセットが受信して再生するようにする制御信号を送って、ＴＶセットに対して伝言再生の準備をさせ、その後、伝言の画像・音声情報を当該ＴＶセットに対して送る。
【０１８３】
次に、転送すべき伝言の画像・音声情報の全ての転送が終了して、伝言再生が終了したかどうか判別し（ステップＳ１４０）、伝言再生が終了したと判別したときには、ＣＰＵ１０１は、伝言情報を消去するかどうかの問い合わせのメッセージを前記ＴＶセットに対して送る。
【０１８４】
すると、当該部屋のＴＶセットの画面には、伝言を消去するかどうかの問い合わせのメッセージ表示がなされるので、帰宅者は、その表示画面に含まれる「ＹＥＳ」、「ＮＯ」のいずれかを、当該部屋のリモートコマンダにより選択して回答する。ＴＶセットは、その回答を監視制御装置３に送る。
【０１８５】
ＣＰＵ１０１は、当該回答から、伝言を消去するか否か判別し（ステップＳ１４２）、消去すると判別したときには、画像・音声メモリ１０８の対応する伝言の画像・音声情報を消去し（ステップＳ１４３）、点灯しているＬＥＤ３７のうちの対応する一つを消灯する（ステップＳ１４４）。そして、ステップＳ１１１に戻る。
【０１８６】
また、ステップＳ１１３で、受信した個人ＩＤは、ドアロック装置８から送られてきたものではないと判別したときには、ＣＰＵ１０１は、ＩＤ送受信部６Ａ，６Ｂ，６Ｃ，６Ｄのいずれかからのものであると認識し、個人ＩＤと共に送られてくるそれぞれのＩＤ送受信部の識別情報、つまり部屋ＩＤから、いずれの部屋から送られてきたかを検知して、在宅者の移動を判別し、在室管理情報テーブルを更新する（ステップＳ１２２）。そして、ステップＳ１１１に戻る。
【０１８７】
以上のようにして、この実施形態においては、監視制御装置３は、家に帰宅した人がいずれかの部屋に入室すると、その部屋の電子機器、この例ではＴＶセットを用いて、当該帰宅者宛ての伝言情報を再生させるようにするので、帰宅者は、伝言を視聴しそこなうことが無い。また、この実施形態では、帰宅者は、例えば視聴した伝言が分かりにくく、もう一度、視聴したいと思ったときには、部屋Ａの監視制御装置３において、再視聴することができるので、非常に便利である。
【０１８８】
また、監視制御装置３が設置されている部屋Ａではない他の部屋に帰宅者が入室したときにも、伝言が確実に再生されるので、帰宅者は、伝言を視聴するために、わざわざ部屋Ａに入る必要もないという効果がある。
【０１８９】
そして、上述のようにして、監視制御装置３は、帰宅者の在室状況を監視して、どの部屋にいるかを在室管理情報テーブルとして保持するようにする。
【０１９０】
［ビジュアルコミュニケーション（テレビ電話の例）について］
［ビジュアルコミュニケーションの発信時の動作］
図２２は、監視制御装置３におけるビジュアルコミュニケーション（以下，ＶＣと略記する）における発信時の動作を示すフローチャートである。前述の図１９の伝言記録および伝言再生の処理フローの説明の際に説明したように、このＶＣの発信は、個人カード１０が監視制御装置３にかざされて、個人カード１０の認証が行なわれると共に、個人ＩＤが認識された後に実行されるものである。
【０１９１】
この例では、ＶＣの発信は、リモートコマンダ５０でＶＣボタン５１が押されることにより起動される。そのため、監視制御装置３のＣＰＵ１０１は、リモコン受信部３８の受信信号を監視して、リモートコマンダ５０でＶＣボタン５１が押されたか否か判別する（ステップＳ１５１）。
【０１９２】
リモートコマンダ５０でＶＣボタン５１が押されたと判別したときには、ＴＶセット１Ａの電源がオンになっているか否か判別し（ステップＳ１５２）、電源がオンでなかったときには、ＣＰＵ１０１は、ＴＶセット１Ａにリモコン送信部３９から電源オンの制御信号を送って、ＴＶセット１Ａの電源をオンにする（ステップＳ１５３）。
【０１９３】
ＴＶセット１Ａの電源がオンであるとき、また、ＴＶセット１Ａの電源をオンにした後、ＣＰＵ１０１は、ＴＶセット１Ａにリモコン送信部３９からリモコン制御信号を送るように制御して、ＴＶセット１Ａが監視制御装置３からの信号を入力信号として選択するように入力切り替えを行なう（ステップＳ１５４）。
【０１９４】
そして、ＣＰＵ１０１は、ＴＶセット１Ａに、ＶＣの発信用画面を表示する信号を送る（ステップＳ１５５）。すなわち、ＣＰＵ１０１は、家族情報メモリ１０５から、ＶＣ発信の起動に先立って認証し、認識した個人ＩＤに対応するユーザ用の通話先リストを読み出し、当該ユーザ用のＶＣ発信用画面を生成して、ＴＶセット１Ａに送る。
【０１９５】
図２３に、このＶＣの発信用画面の一例を示す。すなわち、この例においては、このＶＣの発信用画面には、予めテレビ電話をかける相手として家族構成員の各々について登録してある通話先のサムネールの画像６１が表示される。また、このＶＣの発信用画面には、通話先を指定するテレビ電話用のアドレスの入力欄６２や、アイコンからなる発呼ボタン６３なども含むものである。
【０１９６】
発信ユーザは、この通話先のリストとして表示されているサムネールの画像６１のうちの通話したい相手のサムネール画像をクリックすることにより通話相手先を選択指定することができる。また、発信ユーザは、テレビ電話用のアドレスの入力欄６２に、直接、通話相手先のアドレスを入力することによっても、通話相手先を指定することができる。そして、発信ユーザは、通話相手先の指定が終了すると、この例では、画面中の発呼ボタン６３を押して、発呼操作をする。なお、リモートコマンダ５０に予め発呼ボタンを設けておくことで、画面の発呼ボタン６３を省略することができる。
【０１９７】
以上のような操作を発信ユーザが行なうので、監視制御装置３のＣＰＵ１０１は、発信ユーザによる通話相手先の選択入力を受け付け（ステップＳ１５６）、また、発呼ボタン６３のオン操作を待って（ステップＳ１５７）、発呼動作を実行する（ステップＳ１５８）。この発呼動作においては、ＣＰＵ１０１は、家族情報メモリ１０５に記憶されている選択された通話相手先のアドレスの情報を用いる。そして、発呼時の情報には、発呼者のアドレス情報も含められて相手方に伝えられる。
【０１９８】
以上のような発呼動作に対して相手が応答すると、図２３の画面が消去され、テレビ電話の通話用の画面に切り換わる。
【０１９９】
そして、ＣＰＵ１０１は、相手の応答を待って（ステップＳ１５９）、ＶＣ動作をスタートする（ステップＳ１６０）。通話時は、ＣＰＵ１０１は、ビデオカメラ３２で発信ユーザを撮影した画像情報と、マイクロホン３４により収音した発信ユーザの音声の情報とを相手方に送ると共に、相手方から送られてくる相手ユーザの画像情報と音声情報とを受信して、ＴＶセット１Ａの画面に表示すると共に、音声をスピーカにより再生する。
【０２００】
このとき、ビデオカメラ３２で撮影した発信ユーザの画像情報は、相手先にそのまま送られるのではなく、発信ユーザの周囲環境の画像はマスキングされると共に、当該マスキングされた部分には、予め選択された背景画像が合成されて送られるように、ＣＰＵ１０１によって制御される。どのような背景画像とするかは、ユーザにより予め選択設定されている。
【０２０１】
そして、通話が終了して、所定の終了操作がなされたことを判別すると（ステップＳ１６１）、ＣＰＵ１０１は、テレビ電話の通信路を切断して（ステップＳ１６２）、この処理ルーチンを終了する。
【０２０２】
ステップＳ１５９で、通話相手先が応答しないと判別したときには、ＣＰＵ１０１は、テレビ電話の通信路を切断して（ステップＳ１６２）、この処理ルーチンを終了する。このとき、ＣＰＵ１０１は、ＴＶセット１Ａの状態を、ＶＣ発信の起動がなされる前の状態に戻すように制御する。
【０２０３】
［ビジュアルコミュニケーションの受信時の動作］
次に、相手先からのＶＣの着信があった場合について、図２４〜図２６のフローチャートを参照して説明する。
【０２０４】
監視制御装置３のＣＰＵ１０１は、通信インターフェース１０９への着信を監視して、ＶＣの着信が到来したか否か判別する（ステップＳ１７１）。ＶＣ着信が到来したと判別したときには、ＣＰＵ１０１は、その着信時の情報に含まれる個人ＩＤから誰宛の着信であるかを判別し、家族情報メモリ１０５の在室管理情報テーブルを参照する（ステップＳ１７２）。
【０２０５】
そして、ＣＰＵ１０１は、ＶＣ着信の宛先として指定される人（以下、宛先受信者という）が在宅しているか否か判別する（ステップＳ１７３）。宛先受信者が在宅していると判別したときには、ＣＰＵ１０１は、当該宛先受信者は部屋Ａに在室しているかどうか判別し（ステップＳ１７４）、部屋Ａに在室していると判別したときには、ＬＥＤ３７を点滅させてＶＣ着信を部屋Ａに在室している宛先受信者に報知する（ステップＳ１７５）。
【０２０６】
このとき、ＬＥＤ３７は、伝言用とＶＣ着信用とを予め区別しておく。また、例えば、複数個のＬＥＤ３７の全てをＶＣ着信のときに点滅させることにより、伝言ありの場合と区別するようにしてもよい。
【０２０７】
そして、ＣＰＵ１０１は、ＴＶセット１Ａの電源がオンになっているかどうか判別し（ステップＳ１７６）、電源がオンになっていなければ、リモコン送信部３９からＴＶセット１Ａの電源をオンにするリモコン制御信号を送り、ＴＶセット１Ａの電源をオンにする（ステップＳ１７７）。
【０２０８】
次に、ＣＰＵ１０１は、リモートコマンダ５０のＶＣボタン５１が押されるのを待ち（ステップＳ１７８）、ＶＣボタン５１が押されたと判別したときには、ＴＶセット１Ａに監視制御装置３からの信号を選択するようにリモコン制御信号を送り，ＴＶセット１Ａの入力切り替えを行なう（ステップＳ１７９）。
【０２０９】
次に、ＣＰＵ１０１は、テレビ電話をかけてきた相手先の名前を、前述した図２３のＶＣ発信時の画面と同様にして、サムネールと共に表示する（ステップＳ１８０）。なお、相手先が登録された相手でないときには、テレビ電話をかけてきた相手のアドレスなどを表示する。この例では、この画面には、応答ボタンが表示されており、応答をするときには、宛先受信者はこの応答ボタンをリモートコマンダ５０を用いて押下操作する。
【０２１０】
ＣＰＵ１０１は、応答ボタンが押されたか否か判別し（ステップＳ１８１）、応答ボタンが押されたと判別したときには、テレビ電話通信（ビジュアルコミュニケーション）がスタートとなる（ステップＳ１８２）。通話（通信）時は、ＣＰＵ１０１は、ビデオカメラ３２で発信ユーザを撮影した画像情報と、マイクロホン３４により収音した発信ユーザの音声の情報とを相手方に送ると共に、相手方から送られてくる相手ユーザの画像情報と音声情報とを受信して、ＴＶセット１Ａの画面に画像を表示し、また、音声をスピーカにより再生する。
【０２１１】
このとき、ビデオカメラ３２で撮影した発信ユーザの画像情報は、そのまま送られるのではなく、発信ユーザの周囲環境の画像はマスキングされると共に、当該マスキングされた部分には、予め選択された背景画像が合成されて送られるように、ＣＰＵ１０１によって制御される。どのような背景画像とするかは、ユーザにより予め選択設定されている。
【０２１２】
そして、通信が終了して、所定の終了操作がなされたことを判別すると（ステップＳ１８３）、ＣＰＵ１０１は、テレビ電話の通信路を切断して（ステップＳ１８４）、この処理ルーチンを終了する。
【０２１３】
ステップＳ１８１で、例えば予め定めた時間以上応答ボタンが押されないことを検出するなどして通話相手先が応答しないと判別したときには、ＣＰＵ１０１は、テレビ電話の通信路を切断して（ステップＳ１８４）、この処理ルーチンを終了する。
【０２１４】
ステップＳ１７３において、宛先受信者が在宅してはいないと判別したときには、ＣＰＵ１０１は、監視制御装置３においてテレビ電話の着信時について宛先受信者以外の家族で、在宅している人が代理受信することができるように設定されているかどうか判別する（ステップＳ１９１）。代理受信が不可であると判別したときには、ＣＰＵ１０１は、留守番記録モードに設定されているかどうか判別する（ステップＳ１９２）。
【０２１５】
留守番記録モードに設定されていると判別したときには、ＣＰＵ１０１は、留守番記録モードを実行する（ステップＳ１９３）。すなわち、相手に応答し、宛先受信者が不在であることを相手先に伝えるとともに、留守番記録が可能であることを相手に伝える。これは、周知のように予めメモリに蓄えられたメッセージ情報により行なわれる。そして、相手が留守番記録をするとした場合には、相手から送られてくる画像情報および音声情報を、画像・音声メモリ１０８に留守番記録情報として、宛先受信者の情報と対応して書き込む。
【０２１６】
この留守番記録情報は、例えば前述した伝言情報の再生と同様にして、宛先受信者が監視制御装置３に個人カード１０をかざして、リモートコマンダ５０を用いてメニューから留守番記録情報の再生を指示することにより再生することができるように構成されている。
【０２１７】
留守番記録動作が終了すると、ＣＰＵ１０１は、テレビ電話の通信路を切断して（ステップＳ１９４）、この処理ルーチンを終了する。
【０２１８】
ステップＳ１９２において、留守番記録モードに設定されていないと判別したときには、ＣＰＵ１０１は、応答せずに、テレビ電話の通信路を切断して（ステップＳ１９４）、この処理ルーチンを終了する。
【０２１９】
ステップＳ１９１において代理受信がＯＫであると判別したときには、ＣＰＵ１０１は、宛先受信者以外の在宅者があるか否かを在室管理情報テーブルを参照して判別し（ステップＳ１９５）、在宅者がないと判別したときにはステップＳ１９２に進み、上述したステップＳ１９２〜ステップＳ１９４の処理を行なう。
【０２２０】
ステップＳ１９５で宛先受信者以外の在宅者があると判別したときには、ＣＰＵ１０１は、在室管理情報テーブルを参照して在宅者がいる部屋を判別する（ステップＳ１９６）。そして、その部屋にテレビ電話の着信が転送可能か否か判別する（ステップＳ１９７）。
【０２２１】
転送可能であるかどうかは、この例においては、当該在宅者がいる部屋に、監視制御装置３と接続されているパーソナルコンピュータがあり、そのパーソナルコンピュータに電源が入っているか否かにより判別する。なお、その場合に、パーソナルコンピュータにおいては、テレビ電話の通信が可能であり、電源がオンであるときには、当該テレビ電話の通信アプリケーションが立ち上がっているものとする。
【０２２２】
ステップＳ１９７において、転送可能ではないと判別したときには、ステップＳ１９２に進み、ＣＰＵ１０１は、上述したステップＳ１９２〜ステップＳ１９４の処理を行なう。
【０２２３】
また、ステップＳ１９７において、転送可能であると判別したときには、ＣＰＵ１０１は、在宅者のいる部屋の、転送可能であるパーソナルコンピュータに対してＶＣ着信を転送する（ステップＳ１９８）。
【０２２４】
次に、ＣＰＵ１０１は、前述した図２３のＶＣ発信時の画面と同様にして、テレビ電話をかけてきた相手先の名前をサムネールと共に表示するための画像情報を転送先のパーソナルコンピュータに送り、相手名を表示させる（ステップＳ１９９）。なお、相手先が登録された相手でないときには、テレビ電話をかけてきた相手のアドレスなどを表示する。この例では、この画面には、応答ボタンが表示されている。
【０２２５】
この例では、これ以降の処理は、ＶＣ着信の転送を受けたパーソナルコンピュータが、そのＶＣアプリケーションにより、監視制御装置３を経由せずに処理を行なう。したがって、ＶＣ着信に応答をするときには、受信者は、画面の応答ボタンをパーソナルコンピュータに付属のカーソルキーなどを用いて押下操作することになる。
【０２２６】
ＶＣ着信の転送を受けたパーソナルコンピュータは、応答ボタンが押されたか否か判別し（ステップＳ２００）、応答ボタンが押されたと判別したときには、テレビ電話通信（ビジュアルコミュニケーション）がスタートとなる（ステップＳ２０１）。通信時は、パーソナルコンピュータは、それに搭載されているビデオカメラで発信ユーザを撮影した画像情報と、それに搭載されているマイクロホンにより収音した発信ユーザの音声の情報とを相手方に送ると共に、相手方から送られてくる相手ユーザの画像情報と音声情報とを受信して、その画面に画像を表示し、また、音声をスピーカにより再生する。
【０２２７】
このとき、ビデオカメラで撮影した発信ユーザの画像情報は、そのまま送られるのではなく、発信ユーザの周囲環境の画像はマスキングされると共に、当該マスキングされた部分には、予め選択された背景画像が合成されて送られるように、パーソナルコンピュータによって制御される。どのような背景画像とするかは、ユーザにより予め選択設定されている。
【０２２８】
そして、通信が終了して、所定の終了操作がなされたことを判別すると（ステップＳ２０２）、パーソナルコンピュータは、テレビ電話の通信路を切断して（ステップＳ２０３）、この処理ルーチンを終了する。
【０２２９】
ステップＳ２００で、例えば予め定めた時間以上応答ボタンが押されないことを検出するなどして通話相手先が応答しないと判別したときには、パーソナルコンピュータは、テレビ電話の通信路を切断して（ステップＳ２０３）、この処理ルーチンを終了する。
【０２３０】
また、ステップＳ１７４において、宛先受信者は在宅しているが、部屋Ａにはいないと判別したときには、ＣＰＵ１０１は、在室管理情報テーブルを参照して宛先受信者がいる部屋を判別する（図２６のステップＳ２１１）。そして、ＣＰＵ１０１は、この例においては、判別した部屋に、監視制御装置３と接続されているパーソナルコンピュータがあり、そのパーソナルコンピュータに電源が入っているか否かにより、当該部屋に、テレビ電話の着信が転送可能か否か判別する（ステップＳ２１２）。
【０２３１】
ステップＳ２１２において、転送可能ではないと判別したときには、ステップＳ１９２に進み、ＣＰＵ１０１は、上述したステップＳ１９２〜ステップＳ１９４の処理を行なう。
【０２３２】
また、ステップＳ２１２において、転送可能であると判別したときには、ＣＰＵ１０１は、宛先受信者がいる部屋の、転送可能であるパーソナルコンピュータに対して個人ＩＤの認証を促すメッセージを送り、当該パーソナルコンピュータの画面にそのメッセージを表示する（ステップＳ２１３）。
【０２３３】
宛先受信者は、このメッセージを受けて、パーソナルコンピュータに接続されている個人カードのリード／ライト部に対して個人カードをかざす動作あるいは、個人カードをパーソナルコンピュータに差し込んで、前記リード／ライト部で読み取らせるようにする動作をする。そして、パーソナルコンピュータは、リード／ライト部で個人ＩＤを読み取ったときには、その読み取った個人ＩＤを監視制御装置３に送るようにする。
【０２３４】
そこで、監視制御装置３のＣＰＵ１０１は、個人ＩＤのパーソナルコンピュータからの到来を待つ（ステップＳ２１４）。そして、個人ＩＤを受信せずに予め定められた所定時間経過したか否かを判別し（ステップＳ２１５）、前記所定時間を経過したと判別したときには、テレビ電話の着信を受ける意思なしと判断して通信路を切断する（ステップＳ２２２）。
【０２３５】
ステップＳ２１４で、個人ＩＤを受信したと判別したときには、ＣＰＵ１０１は、この例においては、受信した個人ＩＤがＶＣ着信時の情報に含まれる個人ＩＤに等しいかどうかを判定することにより、その受信した個人ＩＤが宛先受信者の個人ＩＤであるかを認証する（ステップＳ２１６）。
【０２３６】
ステップＳ２１６で、個人ＩＤの認証がＮＧであったときには、ＣＰＵ１０１は、通信路を切断する（ステップＳ２２２）。また、ステップＳ２１６で、個人ＩＤの認証が取れたとき（ＯＫであったとき）には、宛先受信者のいる部屋の、転送可能であるパーソナルコンピュータに対してＶＣ着信を転送する（ステップＳ２１７）。
【０２３７】
次に、ＣＰＵ１０１は、前述した図２３のＶＣ発信時の画面と同様にして、テレビ電話をかけてきた相手先の名前をサムネールと共に表示するための画像情報を転送先のパーソナルコンピュータに送り、相手名を表示させる（ステップＳ２１８）。相手先が登録された相手でないときには、テレビ電話をかけてきた相手のアドレスなどを表示する。この例では、この画面には、応答ボタンが表示されている。
【０２３８】
この例では、これ以降の処理は、ＶＣ着信の転送を受けたパーソナルコンピュータが、そのＶＣアプリケーションにより、監視制御装置３を経由せずに処理を行なう。したがって、ＶＣ着信に応答をするときには、受信者は、画面の応答ボタンをパーソナルコンピュータに付属のカーソルキーなどを用いて押下操作することになる。
【０２３９】
ＶＣ着信の転送を受けたパーソナルコンピュータは、応答ボタンが押されたか否か判別し（ステップＳ２１９）、応答ボタンが押されたと判別したときには、テレビ電話通信がスタートとなる（ステップＳ２２０）。通信時は、パーソナルコンピュータは、それに搭載されているビデオカメラで発信ユーザを撮影した画像情報と、それに搭載されているマイクロホンにより収音した発信ユーザの音声の情報とを相手方に送ると共に、相手方から送られてくる相手ユーザの画像情報と音声情報とを受信して、その画面に画像を表示し、また、音声をスピーカにより再生する。
【０２４０】
このとき、ビデオカメラで撮影した発信ユーザの画像情報は、そのまま送られるのではなく、発信ユーザの周囲環境の画像はマスキングされると共に、当該マスキングされた部分には、予め選択された背景画像が合成されて送られるように、パーソナルコンピュータによって制御される。どのような背景画像とするかは、ユーザにより予め選択設定されている。
【０２４１】
そして、通信が終了して、所定の終了操作がなされたことを判別すると（ステップＳ２２１）、パーソナルコンピュータは、テレビ電話の通信路を切断して（ステップＳ２２２）、この処理ルーチンを終了する。
【０２４２】
なお、上述のＶＣ着信の場合において、代理受信が可能である場合には、代理受信する者の個人ＩＤの認証は行なわなかったが、ＣＰＵ１０１は、在室管理情報テーブルにより、代理受信可能である人も認識することができるので、個人ＩＤの認証を行なうようにすることも勿論できる。
【０２４３】
また、上述のＶＣ着信の説明においては、ＶＣ着信が転送されたときには、転送先のパーソナルコンピュータが、それに搭載されているＶＣアプリケーションを利用して、監視制御装置３を経由せずにＶＣ通話を行なうようにしたが、パーソナルコンピュータには、送信画像および送信音声の取り込み機能と、受信画像および受信音声の取り込み機能と、それらを監視制御装置３を通じて相手方と授受する機能を設けることにより、監視制御装置３を経由してＶＣ通話を行なうようにすることもできる。
【０２４４】
なお、上述の実施形態では、通話先リストとしては、家族構成員の各々について別々の通話先リストを保存するようにしたが、家族の全員に共通のものとして記憶するようにしてもよい。その場合には、ＶＣ発信の際には、個人カード１０を監視制御装置３と通信させる必要はなく、リモートコマンダ５０のＶＣボタン５１を操作して、上述の発信動作を行なわせるようにすればよい。
【０２４５】
以上のようにして、この実施形態によれば、ＶＣ着信があったときに、宛先受信者が在宅しているときには、当該宛先受信者がいる部屋が監視制御装置３により判別され、当該宛先受信者がいる部屋において、当該ＶＣ着信を受けることができる。したがって、宛先受信者は、監視制御装置３が設置してある部屋Ａにいなくても、自分のいる部屋でＶＣ着信を受けることができ、非常に便利である。
【０２４６】
しかも、この実施形態では、宛先受信者が不在のときには、留守番記録モードに自動的に移行させるようにすることができるので、非常に便利である。
【０２４７】
［第２の実施形態］
上述した第１の実施の形態においては、各部屋に設置され、監視制御装置３に接続されるＩＤ送受信部６Ａ〜６Ｄを通じて、これにかざされる個人カード１０から個人ＩＤなどの必要な情報を読み出し、これを監視制御装置３に供給することにより、家族の各人の各部屋への入室、退室の検出および登録を行なうようにした。しかし、各部屋にＩＤ送受信部を設けないで、ホームネットワークシステムを構築することも可能である。
【０２４８】
以下に説明するこの第２の実施の形態においては、例えば各部屋に設けられた、ＴＶセットなどの電子機器の遠隔操作装置であるリモートコマンダを、ＩＤ送受信部の代わりに個人識別情報送信手段として用いることができるようにするものである。
【０２４９】
図２７は、この第２の実施形態のホームネットワークシステムの構成例を説明するための図である。この図２７に示す第２の実施形態のホームネットワークシステムにおいて、上述した第１の実施の形態のホームネットワークシステムと同様に構成される部分には同じ参照符号を付し、その詳細な説明は省略する。
【０２５０】
図２７に示すように、この第２の実施の形態のホームネットワークシステムも、部屋Ａには、監視制御装置３、ＴＶセット１Ａなどの電子機器、ルータ４、ＡＤＳＬモデム５が設けられ、その他の各部屋Ｂ、Ｃ、Ｄには、ＴＶセット１Ｂ、１Ｃ、１Ｄなどの電子機器が設けられている。
【０２５１】
そして、第１の実施形態と同様にして、部屋Ａに設けられた監視制御装置３と各部屋Ｂ，Ｃ，Ｄに設けられた電子機器とは、ルータ４を通じて接続され、監視制御装置３からの制御データが各部屋の電子機器に供給されて、それらの電子機器が制御可能とされている。
【０２５２】
図２７に示したように、この第２の実施の形態のホームネットワークシステムにおいては、各部屋Ａ，Ｂ，Ｃ，Ｄには、ＩＤ送受信部は設けられていない。その代わりに、各部屋Ａ，Ｂ，Ｃ，Ｄには、電子機器の遠隔制御用のリモートコマンダ８０Ａ、８０Ｂ、８０Ｃ、８０Ｄが設けられる。この第２の実施形態においては、これらのリモートコマンダ８０Ａ、８０Ｂ、８０Ｃ、８０Ｄは、複数の電子機器の制御が可能な複合型の構成とされている。すなわち、この例のリモートコマンダ８０Ａ、８０Ｂ、８０Ｃ、８０Ｄは、各部屋の照明器具を遠隔制御するためのキーボタン、ＴＶセットを遠隔制御するためのキーボタンなどを備えている。
【０２５３】
この第２の実施形態では、これらのリモートコマンダ８０Ａ、８０Ｂ、８０Ｃ、８０Ｄは、個人カード１０の装填部を備え、個人カード１０が装填されたときにのみ、動作可能となるようにされている。
【０２５４】
［リモートコマンダの構成例］
図２８および図２９は、この第２の実施形態において、各部屋に設置されるリモートコマンダ８０Ａ、８０Ｂ、８０Ｃ、８０Ｄの構成例を説明するための図である。この例のリモートコマンダ８０Ａ、８０Ｂ、８０Ｃ、８０Ｄのそれぞれは、全く同様に構成されるので、以下の図２８および図２９の説明においては、リモートコマンダ８０Ａ、８０Ｂ、８０Ｃ、８０Ｄのそれぞれをリモートコマンダ８０として説明する。
【０２５５】
図２８は、リモートコマンダ８０の外観を説明するための図である。リモートコマンダ８０は、例えば赤外線を用いるリモコン信号を発生するリモコン信号送信部８１と、種々の情報を表示するためのＬＣＤ８２と、使用者からの指示入力を受け付ける数字キーやファンクションキーなどの複数の操作キーからなる操作キー群８３と、個人カード１０が挿入されて装填されるカード装填部８４とを備える。
【０２５６】
このカード装填部８４の内部には、これに装填された個人カード１０と通信して、個人カード１０の制御用ＩＣに対するデータの書き込み／読み出しを行なうリード／ライト部が設けられている。
【０２５７】
図２９は、リモートコマンダ８０の電気的構成を説明するためのブロック図である。この図２９に示すように、リモートコマンダ８０は、マイクロコンピュータを備える構成とされており、ＣＰＵ８０１に対して、システムバス８０２を介して、ＲＯＭ８０３、ＲＡＭ８０４、ＬＣＤコントローラ８０５、インターフェース８０６，８０７および８０８、個人ＩＤメモリ８１３が接続されている。
【０２５８】
そして、ＬＣＤコントローラ８０５には、ＬＣＤ８２が接続されており、ＣＰＵ８０１によりＬＣＤコントローラ８０５が制御されて、ＬＣＤ８２に操作状態や各種のガイダンスなどの情報を表示することができるようにされている。
【０２５９】
また、インターフェース８０６には、キー操作部８１０が、インターフェース８０７には、リード／ライト部８１１が、インターフェース８０８には、リモコン信号送信部８１２が、それぞれ接続されている。
【０２６０】
そして、キー操作部７１０を通じて入力された使用者からの操作指示入力は、インターフェース８０６を通じてＣＰＵ８０１に供給される。ＣＰＵ８０１は、キー操作部８１０を通じた使用者からの指示入力に応じて、インターフェース８０８を通じてリモコン信号送信部８１２を制御し、使用者の操作入力に応じた赤外線のリモコン信号を、このリモコン信号送信部８１２から送信する。
【０２６１】
個人ＩＤメモリ８１３には、当該リモートコマンダ８０を利用する者の個人ＩＤが登録されている。個人ＩＤメモリ８１３に記憶されている個人ＩＤは、リモートコマンダ８０に装填された個人カードが、登録された個人ＩＤの所有者であるかどうかを認証するために用いられる。
【０２６２】
図３０は、この実施形態におけるリモートコマンダ８０の動作を説明するためのフローチャートである。
【０２６３】
まず、ＣＰＵ８０１は、個人カード１０が装填されたか否か監視し（ステップＳ２３１）、個人カード１０が装填されたと判別したときには、リード／ライト部８１１を通じて、装填された個人カード１０から個人ＩＤを読み出して、ＲＡＭ８０４に保存すると共に、読み出した個人ＩＤと、個人ＩＤメモリ７１３に記憶されている個人ＩＤとを比較して、リモートコマンダ８０に装填された個人カードが登録された個人ＩＤの所有者であるかどうかを認証する（ステップＳ２３２）。
【０２６４】
そして、認証がＯＫであるか否か判別し（ステップＳ２３３）、認証がＯＫでなければ、個人カード１０を強制排出して（ステップＳ２３４）、図３０の処理ルーチンを終了する。また、認証がＯＫであれば、リモートコマンダ８０は、作動開始状態となり、ユーザによる操作キーの押下操作を受け付けることが可能な状態となる（ステップＳ２３５）。
【０２６５】
そして、ＣＰＵ８０１は、操作キーの押下を監視し（ステップＳ２３６）、操作キーの押下を検出したときには、押下操作された操作キーに対応したリモコン信号を生成する（ステップＳ２３７）。そして、生成したリモコン信号に、ＲＡＭ８０４に保存した個人ＩＤを付加して、リモコン信号送信部８１２から電子機器に対して送出する（ステップＳ２３８）。
【０２６６】
次に、ＣＰＵ８０１は、ユーザにより個人カード１０の排出操作がなされて個人カード１０がリモートコマンダ８０の個人カード装填部８４から排出されたか否か判別し（ステップＳ２３９）、排出されていなければ、ステップＳ２３６に戻って、次の操作キーの押下を監視する。また、個人カード１０がリモートコマンダ８０から排出されたと判別したときには、この処理ルーチンを終了する。
【０２６７】
なお、以上の説明では個人ＩＤの認証は、リモートコマンダ８０自身で行なうようにしたが、リモートコマンダ８０が、個人カードが装填された直後に任意のキー操作がなされたとき、それを認証要求操作として個人ＩＤと共に認証要求信号を電子機器に送り、電子機器が、さらに、その個人ＩＤ付きの認証要求信号に、機器ＩＤを加えて監視制御装置３に転送することにより、監視制御装置３で認証を行なうようにすることもできる。
【０２６８】
その場合においては、監視制御装置３は、認証がＮＧであれば、認証要求信号に付加されている機器ＩＤで識別される部屋の全ての電子機器に、受信したリモコン信号を無効とする制御信号を送り、リモートコマンダ８０からのリモコン操作を実質的に不可とするようにする。
【０２６９】
また、個人ＩＤの認証は、電子機器が行ない、認証がＮＧであれば、電子機器で、当該個人ＩＤを送ってきたリモートコマンダからのリモコン信号を無効とするようにしてもよい。
【０２７０】
以上のようにしてリモートコマンダ８０から送出されてくるリモコン信号を受信した電子機器のそれぞれは、リモートコマンダ８０から受信した個人ＩＤ付きのリモコン信号に、さらに、各電子機器の識別情報（機器ＩＤ）を付加して、監視制御装置３に転送する。このとき、誰がどの部屋にいるかを認識するためだけであれば、電子機器は、監視制御装置３に対して、個人ＩＤおよび機器ＩＤのみを転送するようにしてもよい。
【０２７１】
監視制御装置３の制御対象電子機器情報メモリ１２１には、どの部屋にどの電子機器が配置されているかが、機器ＩＤが用いられて記憶されている。前述したように、この第２の実施の形態においては、電子機器としては、ＴＶセットやオーディオセットの他に、照明器具の点灯消灯制御器を含んでおり、それら電子機器と監視制御装置３とがＬＡＮにより接続されているのは、第１の実施形態と同様である。
【０２７２】
監視制御装置３は、各電子機器から転送されてきたリモコン信号に付加されている個人ＩＤおよび機器ＩＤを検知し、制御対象電子機器情報メモリ１２１を参照して、当該機器ＩＤで識別される電子機器が存在する部屋に、当該個人ＩＤで識別される人が存在していることを認識する。
【０２７３】
つまり、監視制御装置３は、各人の各部屋Ａ，Ｂ，Ｃ，Ｄへの入退出を、電子機器から送られてくる個人ＩＤおよび機器ＩＤにより検出し、その検出結果に基づいて在室管理情報テーブルを作成する。
【０２７４】
この場合に、監視制御装置３は、個人ＩＤおよび機器ＩＤを受信したときに、それまでの在室管理情報テーブル中に、当該個人ＩＤで識別される人の在室情報が無いと判別したときには、帰宅後、当該機器ＩＤで識別される電子機器が存在する部屋に始めて入ったとして、当該個人ＩＤで識別される人の在室情報を在室管理情報テーブルに記録するようにする。
【０２７５】
また、監視制御装置３は、受信した個人ＩＤおよび機器ＩＤにより、当該個人ＩＤで識別される人が在室する部屋が、そのときの在室管理情報テーブルでの記録と異なっていたときには、当該個人ＩＤで識別される人が部屋を移動したとして、現在の在室状況に合致するように在室管理情報テーブルを更新するようにする。
【０２７６】
以上のようにして、この第２の実施形態では、監視制御装置３は、ＩＤ送受信部６Ａ，６Ｂ，６Ｃ，６Ｄからの個人ＩＤを受信する代わりに、各部屋Ａ，Ｂ，Ｃ，Ｄの各電子機器からの個人ＩＤおよび機器ＩＤを伴うリモコン信号を受信することにより、各部屋Ａ，Ｂ，Ｃ，Ｄへの家族の各構成員の入退出および移動を認識し、在室管理情報テーブルを更新する。
【０２７７】
例えば、それまで誰もいなかった部屋に、家族の一人が入って、リモートコマンダ８０に自分の個人カード１０を装填し、例えば照明器具を点灯させる操作をすると、個人カード１０から読み出された個人ＩＤ付きの照明器具点灯のリモコン信号が照明器具の点灯消灯制御器に与えられ、照明器具が点灯状態となる。このとき、照明器具の点灯消灯制御器は、前記個人ＩＤおよび自機の機器ＩＤを伴うリモコン信号を監視制御装置３に送る。
【０２７８】
監視制御装置３は、時計回路１０７から前記リモコン信号の取得時刻を認識すると共に、取得した機器ＩＤから、いずれの部屋の照明器具の点灯消灯制御器からのリモコン信号であるかを認識する。さらに、取得した個人ＩＤを用いて、在室管理情報テーブルを更新する。
【０２７９】
［第３の実施形態］
この第３の実施形態では、各部屋に配置される電子機器が、個人カード１０の装填部を備え、その個人カード１０が装填されたときに、各電子機器が動作可能となる場合である。そして、この第３の実施形態の場合には、個人カード１０が電子機器に装填されたときに、当該電子機器は、装填された個人カードから読み出した個人ＩＤを、当該電子機器の機器ＩＤと共に、監視制御装置３に送るようにする。
【０２８０】
この第３の実施形態における監視制御装置３は、第２の実施形態の場合と同様に、制御対象電子機器情報メモリ１２１を備え、各部屋に、どの機器ＩＤの電子機器が配置されているかの情報が記憶されている。したがって、この第３の実施の形態においても、監視制御装置３は、電子機器から送られてくる個人ＩＤおよび機器ＩＤにより、個人ＩＤで識別される人がどの部屋に在室しているかを認識することができ、上述の第１の実施形態および第２の実施形態と同様の電子機器制御を行なうことができる。
【０２８１】
そして、この第３の実施形態では、リモートコマンダとして、個人カードを装填することにより、動作するものを用いる必要はないが、第２の実施形態と同様にして、電子機器から監視制御装置３にリモコン信号を個人ＩＤおよび機器ＩＤと共に送ることにより、前述した第２の実施形態と同様にして、リモコン操作についての制限制御を、監視制御装置３が上述の例と同様にして行なうことができる。
【０２８２】
［その他の実施形態］
以下の説明においては、部屋Ａ、Ｂ、Ｃ、Ｄのそれぞれに配置される電子機器としては、ＴＶセットやパーソナルコンピュータなどの場合について説明したが、制御対象となる電子機器としては、ＡＶ機器やパーソナルコンピュータなどの電子機器に限られるものではないことは言うまでもない。
【０２８３】
また、上述の第２の実施形態の例では、リモートコマンダ８０は各部屋ごとに設けられたが、家族の各々が自分用のリモートコマンダを所有するようにし、使用時に、個人カードを自分用のリモートコマンダに差し込んで使用するように構成してもよい。
【０２８４】
また、以上の実施形態の説明においては、ホームネットワークシステムの場合を例にとったが、この発明は、ホームネットワークシステムに適用される場合に限られるものではない。例えば、職場の各部屋やスペースにおいて、当該部屋に入室あるいは当該スペースに現れた人が、例えばＩＤ送受信部に個人カードをかざすことにより個人ＩＤを監視制御装置に送るようにすることにより、各人がどのスペースにいるかを管理するようにする場合にも適用可能である。
【０２８５】
なお、上述の実施形態では、外部からの入力データの例として、記録された伝言情報およびビジュアルコミュニケーション着信の場合について説明したが、外部からの入力データとしては、これに限らずに、個人識別情報により宛先が指定される情報であればどのようなものでも、この発明の対象となるものである。
【０２８６】
また、外部からの入力データは、画像情報のみであってもよいし、また、音声情報のみであってもよい。また、画像情報や音声情報にかぎらず、テキスト情報やその他のデータやプログラムであってもよい。
【０２８７】
【発明の効果】
以上説明したように、この発明によれば、受信した情報の宛先受信者が存在する場所を検出し、その場所に配置されている電子機器に、受信した情報を送るようにすることにより、指定された相手に伝言を伝えたり、着信を転送したりすることが確実に行なえる。
【図面の簡単な説明】
【図１】この発明による通信システムの第１の実施形態を説明するための図である。
【図２】この発明による通信システムの第１の実施形態を説明するための図である。
【図３】実施形態の通信システムの監視制御装置の外観構成例を示す図である。
【図４】実施形態の通信システムの監視制御装置の構成例を示すブロック図である。
【図５】図３の監視制御装置が備えるメモリに蓄えられる個人プロファイル情報の例を示す図である。
【図６】図３の監視制御装置が備えるメモリに蓄えられる在室管理情報テーブルの例を示す図である。
【図７】第１の実施形態の通信システムに用いられる個人カードを説明するための図である。
【図８】第１の実施形態の通信システムに用いられるＩＤ送受信部の構成例を示す図である。
【図９】第１の実施形態の通信システムに用いられるＩＤ送受信部の構成例を示す図である。
【図１０】第１の実施形態の通信システムに用いられるドアロック装置の構成例を示す図である。
【図１１】第１の実施形態の通信システムに用いられるドアロック装置の構成例を示す図である。
【図１２】第１の実施形態の通信システムに用いられるドアロック装置の動作を説明するためのフローチャートを示す図である。
【図１３】第１の実施形態の通信システムに用いられるドアロック装置の動作を説明するためのフローチャートを示す図である。
【図１４】第１の実施形態の通信システムに用いられるドアロック装置の動作を説明するためのフローチャートを示す図である。
【図１５】第１の実施形態の通信システムに用いられるドアロック装置の動作を説明するためのフローチャートを示す図である。
【図１６】第１の実施形態の通信システムに用いられるドアロック装置の動作を説明するためのフローチャートを示す図である。
【図１７】第１の実施形態の通信システムに用いられるドアロック装置の動作を説明するためのフローチャートを示す図である。
【図１８】第１の実施形態の通信システムに用いられるＩＤ送受信部の動作を説明するためのフローチャートを示す図である。
【図１９】第１の実施形態の通信システムに用いられる監視制御装置の動作を説明するためのフローチャートを示す図である。
【図２０】第１の実施形態の通信システムに用いられる監視制御装置の動作を説明するためのフローチャートの一部を示す図である。
【図２１】第１の実施形態の通信システムに用いられる監視制御装置の動作を説明するためのフローチャートの一部を示す図である。
【図２２】第１の実施形態の通信システムに用いられる監視制御装置の動作を説明するためのフローチャートの一部を示す図である。
【図２３】第１の実施形態の通信システムに用いられる監視制御装置の動作を説明するための図である。
【図２４】第１の実施形態の通信システムに用いられる監視制御装置の動作を説明するためのフローチャートの一部を示す図である。
【図２５】第２の実施形態の通信システムに用いられるリモートコマンダの動作を説明するためのフローチャートを示す図である。
【図２６】第２の実施形態の通信システムに用いられるリモートコマンダの動作を説明するためのフローチャートを示す図である。
【図２７】この発明による通信システムの第２の実施形態を説明するための図である。
【図２８】第２の実施形態の通信システムに用いられるリモートコマンダの構成を説明するための図である。
【図２９】第２の実施形態の通信システムに用いられるリモートコマンダの構成を説明するための図である。
【図３０】第２の実施形態の通信システムに用いられるリモートコマンダの動作を説明するためのフローチャートを示す図である。
【符号の説明】
１Ａ，１Ｂ，１Ｃ，１Ｄ…ＴＶセット、２Ｂ，２Ｃ…パーソナルコンピュータ、３…監視制御装置、４…ルータ、６Ａ，６Ｂ，６Ｃ，６Ｄ…ＩＤ送受信部、１０…個人カード
【図１】
2004104454.tif 000003
【図２】
2004104454.tif 000004
【図３】
2004104454.tif 000005
【図４】
2004104454.tif 000006
【図５】
2004104454.tif 000007
【図６】
2004104454.tif 000008
【図７】
2004104454.tif 000009
【図８】
2004104454.tif 000010
【図９】
2004104454.tif 000011
【図１０】
2004104454.tif 000012
【図１１】
2004104454.tif 000013
【図１２】
2004104454.tif 000014
【図１３】
2004104454.tif 000015
【図１４】
2004104454.tif 000016
【図１５】
2004104454.tif 000017
【図１６】
2004104454.tif 000018
【図１７】
2004104454.tif 000019
【図１８】
2004104454.tif 000020
【図１９】
2004104454.tif 000021
【図２０】
2004104454.tif 000022
【図２１】
2004104454.tif 000023
【図２２】
2004104454.tif 000024
【図２３】
2004104454.tif 000025
【図２４】
2004104454.tif 000026
【図２５】
2004104454.tif 000027
【図２６】
2004104454.tif 000028
【図２７】
2004104454.tif 000029
【図２８】
2004104454.tif 000030
【図２９】
2004104454.tif 000031
【図３０】
2004104454.tif 000032